(57)【要約】【課題】コンテンツの著作権を適切に保護し、ユーザにとっての利便性を向上させることができるようにする。【解決手段】  記録再生装置が、ディスクＡに記憶されたコンテンツをディスクＢにコピーする場合、所定の方法で暗号化されたセキュアーコンテンツであるコンテンツAとノンセキュアーコンテンツであるコンテンツＢを識別し、ノンセキュアーコンテンツ（コンテンツＢ）のみを、補助メモリにコピーし、コンテンツＢとディスクＡのＩＤを対応付けて記憶する。その後、ユーザがディスクＡを記録再生装置から取り外すし、新たにディスクＢが装着されたとき、記録再生装置は、ディスクＡとは異なるディスクが装着されたか否かを判定し、ディスクＡとは異なると判定された場合、ディスクＢに、補助メモリからコンテンツをコピーする。本発明は、ポータブルオーディオプレーヤに適用することができる。【選択図】図３９
2006059465.tif 000002
【特許請求の範囲】
【請求項１】
ディスクにコンテンツのデータを記録し、ディスクに記録されたコンテンツのデータを再生する記録再生装置であって、
自身に装着されているディスクを特定する情報を取得する第１のディスク特定情報取得手段と、
前記ディスクに記録されているコンテンツを特定する情報を取得するコンテンツ特定情報取得手段と、
前記第１のディスク特定情報取得手段により取得された前記ディスクを特定する情報と、前記コンテンツ特定情報取得手段により取得された前記コンテンツを特定する情報とを対応付けるテーブルを生成するテーブル生成手段と、
前記コンテンツを、メモリに記憶する記憶手段と、
自身に、新たにディスクが装着されたか否かを判定するディスク装着判定手段と、
前記ディスク装着判定手段により自身に、新たにディスクが装着されたと判定された場合、新たに装着されたディスクを特定する情報を取得する第２のディスク特定情報取得手段と、
前記第２のディスク特定情報取得手段により取得された、新たに装着されたディスクを特定する情報と、前記テーブルに基づいて、前記記憶手段により記憶された前記コンテンツを、新たに装着されたディスクにコピーするか、またはコピーを抑制するコンテンツコピー手段と
を備えることを特徴とする記録再生装置。
【請求項２】
前記コンテンツコピー手段は、
前記第２のディスク特定情報取得手段により取得された新たに装着されたディスクを特定する情報が、前記テーブルにおいて前記コンテンツを特定する情報と対応づけられている、前記ディスクを特定する情報と異なっていた場合、前記コンテンツを、新たに装着されたディスクにコピーする
ことを特徴とする請求項１に記載の記録再生装置。
【請求項３】
前記ディスクの種類を判定するディスク種類判定手段をさらに備え、
前記記憶手段または前記コンテンツコピー手段は、前記ディスク種類判定手段により、前記ディスクが予め定められた種類のディスクであると判定された場合、前記コンテンツを記憶またはコピーする
ことを特徴とする請求項１に記載の記録再生装置。
【請求項４】
前記ディスクの種類には、少なくとも、
第１のディスクと、
前記第１のディスクと同じ物理的属性を有し、前記第１のディスクとは論理的属性が異なるディスクであって、予め定められた方法で暗号化されたセキュアーコンテンツの記録に適した第２のディスクと、
第１のディスクと外形は同様であるが、記録密度を上げて、記録容量をより増大したディスクであって、前記セキュアーコンテンツの記録に適した第３のディスクと
が含まれることを特徴とする請求項３に記載の記録再生装置。
【請求項５】
前記ディスク種類判定手段は、
前記ディスクが前記第２のディスクまたは前記第３のディスクであった場合、前記ディスクが予め定められた種類のディスクであると判定する
ことを特徴とする請求項４に記載の記録再生装置。
【請求項６】
前記ディスクに記録されているコンテンツのうち、前記セキュアーコンテンツ以外のコンテンツを選択するコンテンツ選択手段をさらに備え、
前記記憶手段は、前記コンテンツ選択手段により選択されたコンテンツをメモリに記憶する
ことを特徴とする請求項５に記載の記録再生装置。
【請求項７】
ディスクにコンテンツのデータを記録し、ディスクに記録されたコンテンツのデータを再生する記録再生装置の記録再生方法であって、
自身に装着されているディスクを特定する情報を取得する第１のディスク特定情報取得ステップと、
前記ディスクに記録されているコンテンツを特定する情報を取得するコンテンツ特定情報取得ステップと、
前記第１のディスク特定情報取得ステップの処理により取得された前記ディスクを特定する情報と、前記コンテンツ特定情報取得ステップの処理により取得された前記コンテンツを特定する情報とを対応付けるテーブルを生成するテーブル生成ステップと、
前記コンテンツを、メモリに記憶する記憶ステップと、
自身に、新たにディスクが装着されたか否かを判定するディスク装着判定ステップと、
前記ディスク装着判定ステップの処理により自身に、新たにディスクが装着されたと判定された場合、新たに装着されたディスクを特定する情報を取得する第２のディスク特定情報取得ステップと、
前記第２のディスク特定情報取得ステップの処理により取得された、新たに装着されたディスクを特定する情報と、前記テーブルに基づいて、前記記憶ステップの処理により記憶された前記コンテンツを、新たに装着されたディスクにコピーするか、またはコピーを抑制するコンテンツコピーステップと
を含むことを特徴とする記録再生方法。
【請求項８】
ディスクにコンテンツのデータを記録し、ディスクに記録されたコンテンツのデータを再生する記録再生装置のプログラムであって、
自身に装着されているディスクを特定する情報の取得を制御する第１のディスク特定情報取得制御ステップと、
前記ディスクに記録されているコンテンツを特定する情報の取得を制御するコンテンツ特定情報取得制御ステップと、
前記第１のディスク特定情報取得制御ステップの処理により取得された前記ディスクを特定する情報と、前記コンテンツ特定情報取得制御ステップの処理により取得された前記コンテンツを特定する情報とを対応付けるテーブルの生成を制御するテーブル生成制御ステップと、
前記コンテンツを、メモリに記憶するように制御する記憶制御ステップと、
自身に、新たにディスクが装着されたか否かの判定を制御するディスク装着判定制御ステップと、
前記ディスク装着判定制御ステップの処理により自身に、新たにディスクが装着されたと判定された場合、新たに装着されたディスクを特定する情報の取得を制御する第２のディスク特定情報取得制御ステップと、
前記第２のディスク特定情報取得制御ステップの処理により取得された、新たに装着されたディスクを特定する情報と、前記テーブルに基づいて、前記記憶制御ステップの処理により記憶された前記コンテンツを、新たに装着されたディスクにコピーするか、またはコピーを抑制するように制御するコンテンツコピー制御ステップと
をコンピュータに実行させることを特徴とするプログラム。
【請求項９】
ディスクにコンテンツのデータを記録し、ディスクに記録されたコンテンツのデータを再生する記録再生装置のプログラムが記録されている記録媒体であって、
自身に装着されているディスクを特定する情報の取得を制御する第１のディスク特定情報取得制御ステップと、
前記ディスクに記録されているコンテンツを特定する情報の取得を制御するコンテンツ特定情報取得制御ステップと、
前記第１のディスク特定情報取得制御ステップの処理により取得された前記ディスクを特定する情報と、前記コンテンツ特定情報取得制御ステップの処理により取得された前記コンテンツを特定する情報とを対応付けるテーブルの生成を制御するテーブル生成制御ステップと、
前記コンテンツを、メモリに記憶するように制御する記憶制御ステップと、
自身に、新たにディスクが装着されたか否かの判定を制御するディスク装着判定制御ステップと、
前記ディスク装着判定制御ステップの処理により自身に、新たにディスクが装着されたと判定された場合、新たに装着されたディスクを特定する情報の取得を制御する第２のディスク特定情報取得制御ステップと、
前記第２のディスク特定情報取得制御ステップの処理により取得された、新たに装着されたディスクを特定する情報と、前記テーブルに基づいて、前記記憶制御ステップの処理により記憶された前記コンテンツを、新たに装着されたディスクにコピーするか、またはコピーを抑制するように制御するコンテンツコピー制御ステップと
をコンピュータに実行させるプログラムが記録されることを特徴とする記録媒体。
【発明の詳細な説明】
【技術分野】
【０００１】
本発明は、記録再生装置および方法、プログラム並びに記録媒体に関し、特に、コンテンツの著作権を適切に保護し、ユーザにとっての利便性を向上させることができるようにする記録再生装置および方法、プログラム並びに記録媒体に関する。
【背景技術】
【０００２】
近年、ＣＤなどを購入することなく、音楽配信サービスなどを利用して、楽曲データをダウンロードすることにより所望の楽曲を入手する方法が普及している。一般的な音楽配信サービスにおいては、ユーザが、サーバに蓄積された楽曲データのうち所望の楽曲データを、ネットワークを介して、自分のパーソナルコンピュータに有料でダウンロードするものが多い。また、音楽配信サービスにより配信された楽曲データは、デジタルデータであり、データ自体は簡単に複製が可能であるため、著作権保護のために、配信される楽曲データは、所定の方式で暗号化される場合も多い。この場合、ダウンロードされた楽曲データを再生するとき、暗号化されたデータを復号する鍵が必要となる。
【０００３】
このようなデジタルデータの著作権保護の仕組みを強化するために、コンテンツの転送元の識別情報に基づいて、コンテンツのコピー、または移動の可否を制限する仕組みが提案されている（例えば、特許文献１参照）。
【０００４】
さらに、コンテンツと、コンテンツを特定する識別情報を関連付けた管理情報を生成し、コンテンツの複写管理を行う仕組みも提案されている（例えば、特許文献２参照）。
【０００５】
【特許文献１】特開２００１−１２５８３３号公報
【０００６】
【特許文献２】特開２００３−２８０９９３号公報
【発明の開示】
【発明が解決しようとする課題】
【０００７】
しかしながら、パーソナルコンピュータに取り込んだ楽曲データなどのコンテンツを携帯可能なポータブルデバイス（ＰＤ）を利用して楽しみたいという、ユーザのニーズは高い。すなわち、ユーザは、パーソナルコンピュータにおいて、楽曲データを再生し、再生した楽曲データをＰＤが記録／再生可能なメディアに記録することになるが、通常ＰＤのメディアに記録されるデータは、音楽配信サービスにより入手された楽曲データに限らず、ユーザが録音した他の楽曲データなども混在する。従来の技術では、ＰＤのメディアに記録された楽曲データは、著作権保護の対象となるコンテンツであるか否かを識別することができず、その結果、著作権保護の対象となるコンテンツの著作権を適切に保護することができないという課題があった。
【０００８】
また、従来の技術では、ユーザが、所定のコンテンツがどのメディアに記録されているかを自身で管理する必要があり、コンテンツが記録されたメディアから、他のメディアに簡単にコピーする場合、誤って同じメディアにコピーしてしまう恐れがあり、ユーザにとってコンテンツの管理に手間がかかるという課題があった。
【０００９】
本発明はこのような状況に鑑みてなされたものであり、コンテンツの著作権を適切に保護し、ユーザにとっての利便性を向上させることができるようにするものである。
【課題を解決するための手段】
【００１０】
本発明の記録再生装置は、ディスクにコンテンツのデータを記録し、ディスクに記録されたコンテンツのデータを再生する記録再生装置であって、自身に装着されているディスクを特定する情報を取得する第１のディスク特定情報取得手段と、ディスクに記録されているコンテンツを特定する情報を取得するコンテンツ特定情報取得手段と、第１のディスク特定情報取得手段により取得されたディスクを特定する情報と、コンテンツ特定情報取得手段により取得されたコンテンツを特定する情報とを対応付けるテーブルを生成するテーブル生成手段と、コンテンツを、メモリに記憶する記憶手段と、自身に、新たにディスクが装着されたか否かを判定するディスク装着判定手段と、ディスク装着判定手段により自身に、新たにディスクが装着されたと判定された場合、新たに装着されたディスクを特定する情報を取得する第２のディスク特定情報取得手段と、第２のディスク特定情報取得手段により取得された、新たに装着されたディスクを特定する情報と、テーブルに基づいて、記憶手段により記憶されたコンテンツを、新たに装着されたディスクにコピーするか、またはコピーを抑制するコンテンツコピー手段とを備えることを特徴とする。
【００１１】
前記コンテンツコピー手段は、前記第２のディスク特定情報取得手段により取得された新たに装着されたディスクを特定する情報が、前記テーブルにおいて前記コンテンツを特定する情報と対応づけられている、前記ディスクを特定する情報と異なっていた場合、前記コンテンツを、新たに装着されたディスクにコピーするようにすることができる。
【００１２】
前記ディスクの種類を判定するディスク種類判定手段をさらに備え、記憶手段またはコンテンツコピー手段は、ディスク種類判定手段により、ディスクが予め定められた種類のディスクであると判定された場合、コンテンツを記憶またはコピーするようにすることができる。
【００１３】
前記ディスクの種類には、少なくとも、第１のディスクと、第１のディスクと同じ物理的属性を有し、第１のディスクとは論理的属性が異なるディスクであって、予め定められた方法で暗号化されたセキュアーコンテンツの記録に適した第２のディスクと、第１のディスクと外形は同様であるが、記録密度を上げて、記録容量をより増大したディスクであって、セキュアーコンテンツの記録に適した第３のディスクとが含まれるようにすることができる。
【００１４】
前記ディスク種類判定手段は、ディスクが第２のディスクまたは第３のディスクであった場合、ディスクが予め定められた種類のディスクであると判定するようにすることができる。
【００１５】
前記ディスクに記録されているコンテンツのうち、セキュアーコンテンツ以外のコンテンツを選択するコンテンツ選択手段をさらに備え、記憶手段は、コンテンツ選択手段により選択されたコンテンツをメモリに記憶するようにすることができる。
【００１６】
本発明の記録再生方法は、ディスクにコンテンツのデータを記録し、ディスクに記録されたコンテンツのデータを再生する記録再生装置の記録再生方法であって、自身に装着されているディスクを特定する情報を取得する第１のディスク特定情報取得ステップと、ディスクに記録されているコンテンツを特定する情報を取得するコンテンツ特定情報取得ステップと、第１のディスク特定情報取得ステップの処理により取得されたディスクを特定する情報と、コンテンツ特定情報取得ステップの処理により取得されたコンテンツを特定する情報とを対応付けるテーブルを生成するテーブル生成ステップと、コンテンツを、メモリに記憶する記憶ステップと、自身に、新たにディスクが装着されたか否かを判定するディスク装着判定ステップと、ディスク装着判定ステップの処理により自身に、新たにディスクが装着されたと判定された場合、新たに装着されたディスクを特定する情報を取得する第２のディスク特定情報取得ステップと、第２のディスク特定情報取得ステップの処理により取得された、新たに装着されたディスクを特定する情報と、テーブルに基づいて、記憶ステップの処理により記憶されたコンテンツを、新たに装着されたディスクにコピーするか、またはコピーを抑制するコンテンツコピーステップとを含むことを特徴とする。
【００１７】
本発明のプログラムは、ディスクにコンテンツのデータを記録し、ディスクに記録されたコンテンツのデータを再生する記録再生装置のプログラムであって、自身に装着されているディスクを特定する情報の取得を制御する第１のディスク特定情報取得制御ステップと、ディスクに記録されているコンテンツを特定する情報の取得を制御するコンテンツ特定情報取得制御ステップと、第１のディスク特定情報取得制御ステップの処理により取得されたディスクを特定する情報と、コンテンツ特定情報取得制御ステップの処理により取得されたコンテンツを特定する情報とを対応付けるテーブルの生成を制御するテーブル生成制御ステップと、コンテンツを、メモリに記憶するように制御する記憶制御ステップと、自身に、新たにディスクが装着されたか否かの判定を制御するディスク装着判定制御ステップと、ディスク装着判定制御ステップの処理により自身に、新たにディスクが装着されたと判定された場合、新たに装着されたディスクを特定する情報の取得を制御する第２のディスク特定情報取得制御ステップと、第２のディスク特定情報取得制御ステップの処理により取得された、新たに装着されたディスクを特定する情報と、テーブルに基づいて、記憶制御ステップの処理により記憶されたコンテンツを、新たに装着されたディスクにコピーするか、またはコピーを抑制するように制御するコンテンツコピー制御ステップとをコンピュータに実行させることを特徴とする。
【００１８】
本発明の記録媒体は、ディスクにコンテンツのデータを記録し、ディスクに記録されたコンテンツのデータを再生する記録再生装置のプログラムが記録されている記録媒体であって、自身に装着されているディスクを特定する情報の取得を制御する第１のディスク特定情報取得制御ステップと、ディスクに記録されているコンテンツを特定する情報の取得を制御するコンテンツ特定情報取得制御ステップと、第１のディスク特定情報取得制御ステップの処理により取得されたディスクを特定する情報と、コンテンツ特定情報取得制御ステップの処理により取得されたコンテンツを特定する情報とを対応付けるテーブルの生成を制御するテーブル生成制御ステップと、コンテンツを、メモリに記憶するように制御する記憶制御ステップと、自身に、新たにディスクが装着されたか否かの判定を制御するディスク装着判定制御ステップと、ディスク装着判定制御ステップの処理により自身に、新たにディスクが装着されたと判定された場合、新たに装着されたディスクを特定する情報の取得を制御する第２のディスク特定情報取得制御ステップと、第２のディスク特定情報取得制御ステップの処理により取得された、新たに装着されたディスクを特定する情報と、テーブルに基づいて、記憶制御ステップの処理により記憶されたコンテンツを、新たに装着されたディスクにコピーするか、またはコピーを抑制するように制御するコンテンツコピー制御ステップとをコンピュータに実行させるプログラムが記録されることを特徴とする。
【００１９】
本発明の記録再生装置および方法、並びにプログラムにおいては、自身に装着されているディスクを特定する情報が取得され、ディスクに記録されているコンテンツを特定する情報が取得され、ディスクを特定する情報と、コンテンツを特定する情報とを対応付けるテーブルが生成される。また、コンテンツがメモリに記憶され、自身に、新たにディスクが装着されたか否かが判定され、自身に、新たにディスクが装着されたと判定された場合、新たに装着されたディスクを特定する情報が取得され、新たに装着されたディスクを特定する情報と、テーブルに基づいて、記憶されたコンテンツが、新たに装着されたディスクにコピーされるか、またはコピーが抑制される。
【発明の効果】
【００２０】
本発明によれば、コンテンツの著作権を適切に保護し、ユーザにとっての利便性を向上させることができる。
【発明を実施するための最良の形態】
【００２１】
以下に本発明の実施の形態を説明するが、本明細書に記載した発明と、発明の実施の形態との対応関係を例示すると、次のようになる。この記載は、本明細書に記載されている発明をサポートする実施の形態が明細書に記載されていることを確認するためのものである。従って、明細書には記載されているが、ここには記載されていない実施の形態があったとしても、そのことは、その実施の形態が、その発明に対応するものではないことを意味するものではない。逆に、実施の形態が発明に対応するものとしてここに記載されていたとしても、そのことは、その実施の形態が、その発明以外の発明には対応しないものであることを意味するものでもない。
【００２２】
さらに、この記載は、明細書に記載されている発明が、全て請求されていることを意味するものではない。換言すれば、この記載は、明細書に記載されている発明であって、この出願では請求されていない発明の存在、すなわち、将来、分割出願されたり、補正により出願、または追加される発明の存在を否定するものではない。
【００２３】
請求項１に記載の記録再生装置は、ディスク（例えば、図１のディスク２１または２２）にコンテンツのデータを記録し、ディスクに記録されたコンテンツのデータを再生する記録再生装置（例えば、図１の記録再生装置５−１または５−２）であって、自身に装着されているディスクを特定する情報を取得する第１のディスク特定情報取得手段（例えば、図４０のステップＳ４４の処理を実行する図３６のデータコピー制御部２０４）と、前記ディスクに記録されているコンテンツを特定する情報を取得するコンテンツ特定情報取得手段（例えば、図４０のステップＳ４６の処理を実行する図３６のデータコピー制御部２０４）と、前記第１のディスク特定情報取得手段により取得された前記ディスクを特定する情報と、前記コンテンツ特定情報取得手段により取得された前記コンテンツを特定する情報とを対応付けるテーブルを生成するテーブル生成手段（例えば、図４０のステップＳ４７の処理を実行する図３６のデータコピー制御部２０４）と、前記コンテンツを、メモリに記憶する記憶手段（例えば、図４０のステップＳ４８の処理を実行する図３６のデータコピー制御部２０４）と、自身に、新たにディスクが装着されたか否かを判定するディスク装着判定手段（例えば、図４１のステップＳ５１の処理を実行する図３６のデータコピー制御部２０４）と、前記ディスク装着判定手段により自身に、新たにディスクが装着されたと判定された場合、新たに装着されたディスクを特定する情報を取得する第２のディスク特定情報取得手段（例えば、図４１のステップＳ５４の処理を実行する図３６のデータコピー制御部２０４）と、前記第２のディスク特定情報取得手段により取得された、新たに装着されたディスクを特定する情報と、前記テーブルに基づいて、前記記憶手段により記憶された前記コンテンツを、新たに装着されたディスクにコピーするか、またはコピーを抑制するコンテンツコピー手段（例えば、図４１のステップＳ５７またはＳ５８の処理を実行する図３６のデータコピー制御部２０４）とを備える。
【００２４】
請求項２に記載の記録再生装置は、前記コンテンツコピー手段が、前記第２のディスク特定情報取得手段により取得された新たに装着されたディスクを特定する情報が、前記テーブルにおいて前記コンテンツを特定する情報と対応づけられている、前記ディスクを特定する情報と異なっていた場合（例えば、図４１のステップＳ５６の処理により同じUIDではないと判定された場合）、前記コンテンツを、新たに装着されたディスクにコピーするようにすることができる。
【００２５】
請求項３に記載の記録再生装置は、前記ディスクの種類を判定するディスク種類判定手段（例えば、図４０のステップS４２または図４１のステップS５２の処理を実行するデータコピー制御部２０４）をさらに備え、前記記憶手段または前記コンテンツコピー手段は、前記ディスク種類判定手段により、前記ディスクが予め定められた種類のディスクであると判定された場合、前記コンテンツを記憶またはコピーするようにすることができる。
【００２６】
請求項４に記載の記録再生装置は、前記ディスクの種類には、少なくとも、第１のディスク（例えば、現行ＭＤのディスク）と、前記第１のディスクと同じ物理的属性を有し、前記第１のディスクとは論理的属性（例えば、記録再生のフォーマット）が異なるディスクであって、予め定められた方法で暗号化されたセキュアーコンテンツの記録に適した第２のディスク（例えば、図４の次世代ＭＤ１のディスク）と、第１のディスクと外形は同様であるが、記録密度を上げて、記録容量をより増大したディスクであって、前記セキュアーコンテンツの記録に適した第３のディスク（例えば、図６の次世代ＭＤ２のディスク）とが含まれるようにすることができる。
【００２７】
請求項５に記載の記録再生装置は、前記ディスク種類判定手段が、前記ディスクが前記第２のディスク（例えば、次世代ＭＤ１のディスク）または前記第３のディスク（例えば、次世代ＭＤ２のディスク）であった場合、前記ディスクが予め定められた種類のディスクであると判定するようにすることができる。
【００２８】
請求項６に記載の記録再生装置は、前記ディスクに記録されているコンテンツのうち、前記セキュアーコンテンツ以外のコンテンツを選択するコンテンツ選択手段（例えば、図４０のステップＳ４５の処理を実行する図３６のデータコピー制御部２０４）をさらに備え、前記記憶手段は、前記コンテンツ選択手段により選択されたコンテンツをメモリに記憶するようにすることができる。
【００２９】
請求項７に記載の記録再生方法は、ディスク（例えば、図１のディスク２１または２２）にコンテンツのデータを記録し、ディスクに記録されたコンテンツのデータを再生する記録再生装置（例えば、図１の記録再生装置５−１または５−２）の記録再生方法であって、自身に装着されているディスクを特定する情報を取得する第１のディスク特定情報取得ステップ（例えば、図４０のステップＳ４４の処理）と、前記ディスクに記録されているコンテンツを特定する情報を取得するコンテンツ特定情報取得ステップ（例えば、図４０のステップＳ４６の処理）と、前記第１のディスク特定情報取得ステップの処理により取得された前記ディスクを特定する情報と、前記コンテンツ特定情報取得ステップの処理により取得された前記コンテンツを特定する情報とを対応付けるテーブルを生成するテーブル生成ステップ（例えば、図４０のステップＳ４７）と、前記コンテンツを、メモリに記憶する記憶ステップ（例えば、図４０のステップＳ４８の処理）と、自身に、新たにディスクが装着されたか否かを判定するディスク装着判定ステップ（例えば、図４１のステップＳ５１の処理）と、前記ディスク装着判定ステップの処理により自身に、新たにディスクが装着されたと判定された場合、新たに装着されたディスクを特定する情報を取得する第２のディスク特定情報取得ステップ（例えば、図４１のステップＳ５４の処理）と、前記第２のディスク特定情報取得ステップの処理により取得された、新たに装着されたディスクを特定する情報と、前記テーブルに基づいて、前記記憶ステップの処理により記憶された前記コンテンツを、新たに装着されたディスクにコピーするか、またはコピーを抑制するコンテンツコピーステップ（例えば、図４１のステップＳ５７またはＳ５８の処理）とを含む。
【００３０】
請求項８に記載のプログラムは、ディスク（例えば、図１のディスク２１または２２）にコンテンツのデータを記録し、ディスクに記録されたコンテンツのデータを再生する記録再生装置（例えば、図１の記録再生装置５−１または５−２）のプログラムであって、自身に装着されているディスクを特定する情報の取得を制御する第１のディスク特定情報取得制御ステップ（例えば、図４０のステップＳ４４の処理）と、前記ディスクに記録されているコンテンツを特定する情報の取得を制御するコンテンツ特定情報取得制御ステップ（例えば、図４０のステップＳ４６の処理）と、前記第１のディスク特定情報取得制御ステップの処理により取得された前記ディスクを特定する情報と、前記コンテンツ特定情報取得制御ステップの処理により取得された前記コンテンツを特定する情報とを対応付けるテーブルの生成を制御するテーブル生成制御ステップ（例えば、図４０のステップＳ４７）と、前記コンテンツを、メモリに記憶するように制御する記憶制御ステップ（例えば、図４０のステップＳ４８の処理）と、自身に、新たにディスクが装着されたか否かの判定を制御するディスク装着判定制御ステップ（例えば、図４１のステップＳ５１の処理）と、前記ディスク装着判定制御ステップの処理により自身に、新たにディスクが装着されたと判定された場合、新たに装着されたディスクを特定する情報の取得を制御する第２のディスク特定情報取得制御ステップ（例えば、図４１のステップＳ５４の処理）と、前記第２のディスク特定情報取得制御ステップの処理により取得された、新たに装着されたディスクを特定する情報と、前記テーブルに基づいて、前記記憶制御ステップの処理により記憶された前記コンテンツを、新たに装着されたディスクにコピーするか、またはコピーを抑制するように制御するコンテンツコピー制御ステップ（例えば、図４１のステップＳ５７またはＳ５８の処理）とをコンピュータに実行させる。
【００３１】
請求項９に記載の記録媒体は、ディスク（例えば、図１のディスク２１または２２）にコンテンツのデータを記録し、ディスクに記録されたコンテンツのデータを再生する記録再生装置（例えば、図１の記録再生装置５−１または５−２）のプログラムが記録されている記録媒体であって、自身に装着されているディスクを特定する情報の取得を制御する第１のディスク特定情報取得制御ステップ（例えば、図４０のステップＳ４４の処理）と、前記ディスクに記録されているコンテンツを特定する情報の取得を制御するコンテンツ特定情報取得制御ステップ（例えば、図４０のステップＳ４６の処理）と、前記第１のディスク特定情報取得制御ステップの処理により取得された前記ディスクを特定する情報と、前記コンテンツ特定情報取得制御ステップの処理により取得された前記コンテンツを特定する情報とを対応付けるテーブルの生成を制御するテーブル生成制御ステップ（例えば、図４０のステップＳ４７）と、前記コンテンツを、メモリに記憶するように制御する記憶制御ステップ（例えば、図４０のステップＳ４８の処理）と、自身に、新たにディスクが装着されたか否かの判定を制御するディスク装着判定制御ステップ（例えば、図４１のステップＳ５１の処理）と、前記ディスク装着判定制御ステップの処理により自身に、新たにディスクが装着されたと判定された場合、新たに装着されたディスクを特定する情報の取得を制御する第２のディスク特定情報取得制御ステップ（例えば、図４１のステップＳ５４の処理）と、前記第２のディスク特定情報取得制御ステップの処理により取得された、新たに装着されたディスクを特定する情報と、前記テーブルに基づいて、前記記憶制御ステップの処理により記憶された前記コンテンツを、新たに装着されたディスクにコピーするか、またはコピーを抑制するように制御するコンテンツコピー制御ステップ（例えば、図４１のステップＳ５７またはＳ５８の処理）とをコンピュータに実行させるプログラムが記録される。
【００３２】
以下、図面を参照して、本発明の実施の形態について説明する。図１は、本発明に係るコンテンツ管理システムの一実施の形態を示す図である。同図においてパーソナルコンピュータ４が、ローカルエリアネットワークまたはインターネットなどから構成されるネットワーク３に接続されている。パーソナルコンピュータ４は、EMD（Electrical Music Distribution）サーバ１から受信した、またはCD（Compact Disc）から読み取った楽曲のデータ（以下、コンテンツと称する）を、そのまま記録するか、または所定の符号化の方式（例えば、ATRAC3plus（商標））に変換するとともにDES（Data Encryption Standard）などの暗号化方式で暗号化して記録する。
【００３３】
パーソナルコンピュータ４は、平文のまま、または暗号化して記録しているコンテンツに対応して、コンテンツの利用条件（例えば、コピー可能回数など）を示す権利情報を記録する。
【００３４】
パーソナルコンピュータ４は、暗号化して記録しているコンテンツを、例えば、コンテンツに関連するデータ（例えば、曲名、または再生条件など）と共に、USB（Universal Serial Bus）ケーブルなどを介して、接続されている記録再生装置５−１または５−２に記憶させるとともに、記録再生装置５−１または５−２に記憶させたことに対応して、記憶させたコンテンツに対応する権利情報を更新する。例えば、コンテンツが記録再生装置５−１または５−２にコピーされて記憶されたとき、パーソナルコンピュータ４が記録している、そのコンテンツに対応する権利情報のコピー可能回数は、１減らされる。コピー可能回数が０になると、対応するコンテンツを記録再生装置５−１または５−２にコピーすることができない。
【００３５】
EMDサーバ１は、パーソナルコンピュータ４の要求に対応して、ネットワーク３を介して、コンテンツに関連するデータ（例えば、曲名など）と共に、パーソナルコンピュータ４にコンテンツを供給する。
【００３６】
EMDサーバ１が供給するコンテンツは、所定の符号化の方式で符号化され、また、コンテンツの著作権を保護するため所定の暗号化の方式で暗号化されている。EMDサーバ１は、コンテンツとともにコンテンツを復号するための鍵をパーソナルコンピュータ１に供給する。
【００３７】
WWW（World Wide Web）サーバ２は、パーソナルコンピュータ４の要求に対応して、ネットワーク２を介して、画像、テキストデータなどのデータをパーソナルコンピュータ４に供給する。
【００３８】
記録再生装置５−１または５−２は、後述するディスク２１または２２が記録媒体として装着され、USBケーブルなどを介して接続されるパーソナルコンピュータ４と通信し、コンテンツをディスク２１または２２に記憶するとともに、ユーザの指令に基づいてディスク２１または２２に記憶されているコンテンツを再生する。
【００３９】
図２は、図１の各機器におけるコンテンツの記憶状態の例を示す図である。同図において、サーバに記憶されるコンテンツの例として、例えば、上述したEMDサーバ１によりパーソナルコンピュータ４に供給される楽曲などのコンテンツAと、例えば上述したＷＷＷサーバ２によりパーソナルコンピュータ４に供給されるコンテンツＢが示されている。上述したように、EMDサーバ１が供給するコンテンツは、コンテンツの著作権を保護するため所定の暗号化の方式で暗号化されている。本発明においては、著作権を保護するため所定の暗号化の方式で暗号化されたコンテンツをセキュアーコンテンツと称し、同図のコンテンツＡのように示す。一方、コンテンツＢは、特に著作権などを持たないコンテンツとし、コンテンツＡとは異なり、（平文のまま）暗号化されていないものとする。
【００４０】
パーソナルコンピュータ４において、コンテンツＡは、やはり暗号化されたセキュアーコンテンツとして、コンテンツＢは平文のまま、それぞれパーソナルコンピュータ４のHDD（Hard Disk Drive）などの記憶部に記憶されている。
【００４１】
記録再生装置５−１は、コンテンツを記憶するとき、そのコンテンツがセキュアーコンテンツであるか否かを判定し、セキュアーコンテンツはディスク２１におけるセキュアー領域４１に記憶され、セキュアーコンテンツではないコンテンツ（以後、ノンセキュアーコンテンツと称する）は、ディスク２１におけるノンセキュアー領域４２に記憶される。したがって、ディスク２１においては、コンテンツAはセキュアー領域４１に、暗号化されたセキュアーコンテンツとして記憶され、コンテンツＢは平文のまま、ノンセキュアーコンテンツとして記憶されている。なお、セキュアー領域４１およびノンセキュアー領域４２は、記録されるコンテンツをそのコンテンツの種類に応じて管理するためのディスク内の仮想的な領域であり、例えばそれぞれの領域に対して所定の記憶容量が割り当てられるものではない。
【００４２】
記録再生装置５−２も、記録再生装置５−１と同様にコンテンツAまたはコンテンツBを記憶する。
【００４３】
また、記録再生装置５−１と５−２を相互に接続し、ディスク２１からディスク２２にコンテンツを移動またはコピーすることも可能である。この場合、図３に示されるように、コンテンツAはディスク２１のセキュアー領域４１−１からディスク２２のセキュアー領域４１−２に移動され、コンテンツＢはディスク２１のノンセキュアー領域４２−１からディスク２２のノンセキュアー領域４２−２にコピーまたは移動される。
【００４４】
記録再生装置５−１または５−２は、著作権保護のため、セキュアーなコンテンツを他の装置（記録媒体）にコピーすることを許可せず、著作権をもつコンテンツの複製が際限なく生成されることを防止する。したがって、コンテンツＡは、ディスク２２に移動されるとき、ディスク２１から消去される。一方、著作権を持たないコンテンツＢは、その複製をディスク２２に生成してコピーすることもできるし、ディスク２２に移動されるとき、ディスク２１から消去されるようにすることも可能である。
【００４５】
なお、ノンセキュアーコンテンツであるコンテンツＢをディスク２２のセキュアー領域４１−２に移動（またはコピー）することはできない。同様に、セキュアーコンテンツであるコンテンツＡをディスク２２のノンセキュアー領域４２−２に移動（またはコピー）することはできない。
【００４６】
また、記録再生装置５−１または５−２は、著作権保護のため、ノンセキュアーコンテンツを楽曲として再生しない。例えば、ファイル交換などにより入手された楽曲データのコンテンツは、所定の方式で暗号化されていないため、ノンセキュアーコンテンツとして記憶され、そのノンセキュアーコンテンツは楽曲データであっても、楽曲として再生されることはない。すなわち、記録再生装置５−１または５−２は、正規の手順に従ってEMDサーバ１から受信した、またはCD（Compact Disc）から読み取った楽曲のデータ以外は、楽曲のコンテンツとして認識しない。このようにすることで、記録再生装置５−１または５−２のユーザにとって、正規の手順に則らず不正に入手されたコンテンツは価値のないものとなり、コンテンツの著作権保護を強化することができる。
【００４７】
次に、記録再生装置５−１（または５−２）に装着されるディスク２１（または２２）について説明する。
【００４８】
ディスク２１は、光磁気ディスクであって、フォームファクタのような、ディスクの物理的属性は、いわゆるＭＤ(Mini-Disc )システムによって使用されるディスクと実質的に同じである。ディスク２１の記録再生のフォーマットとしては、現行のＭＤシステムで用いられているディスク、現行のＭＤシステムで用いられているディスクと同様の物理媒体を用いた次世代ＭＤ１のディスク、現行のＭＤシステムで用いられているディスクと外形は同様であるが、記録密度を上げて、記録容量をより増大した次世代ＭＤ２のディスクの３種類があり、記録再生装置５−１または５−２は、それら３種類のいずれのディスクにも対応できる（データの記録または再生を行う）ように構成されている。
【００４９】
また、記録再生装置５−１は、楽曲データのようなコンテンツデータを記録再生するために、ファイル管理システムとしてＦＡＴ(File Allocation Table)システムを使用する。上述した次世代ＭＤ１のディスク、または次世代ＭＤ２のディスクは、ＦＡＴシステムに対応しており、これにより、記録再生装置５−１は、現行のパーソナルコンピュータに対して互換性を保証することができる。
【００５０】
なお、ここで「ＦＡＴ」又は「ＦＡＴシステム」という用語は、種々のＰＣベースのファイルシステムを指すのに総称的に用いられ、ＤＯＳ(Disk Operating System)で用いられる特定のＦＡＴベースのファイルシステム、Ｗｉｎｄｏｗｓ（登録商標）９５/９８で使用されるＶＦＡＴ(Virtual FAT)、Ｗｉｎｄｏｗｓ（登録商標）９８/ＭＥ/２０００で用いられるＦＡＴ３２、及びＮＴＦＳ(NT File System（New Technology File System とも呼ばれる）)のどれかを示すことを意図したものではない。
【００５１】
現行のＭＤシステムでは、カートリッジに収納された直径６４ｍｍの光磁気ディスクが記録媒体として用いられている。ディスクの厚みは１．２ｍｍであり、その中央に１１ｍｍの径のセンターホールが設けられている。カートリッジの形状は、長さ６８ｍｍ、幅７２ｍｍ、厚さ５ｍｍである。
【００５２】
次世代ＭＤ１の仕様でも次世代ＭＤ２の仕様でも、これらディスクの形状やカートリッジの形状は、全て同じである。
【００５３】
また、次世代ＭＤ２の仕様のディスクでは、磁気超解像技術などを使うことにより、線密度方向の記録容量を向上するようにしている。磁気超解像技術は、所定の温度になると、切断層が磁気的にニュートラルな状態になり、再生層に転写されていた磁壁が移動することで、微少なマークがビームスポットの中で大きく見えるようになることを利用したものである。
【００５４】
記録方式は、次世代ＭＤ１のディスクも次世代ＭＤ２のディスクも、グルーブ記録方式が採用されている。つまり、グルーブ（ディスクの盤面上の溝）をトラックとして記録再生に用いるようにしている。エラー訂正符号化方式としては、現行のＭＤシステムでは、ＡＣＩＲＣ(Advanced Cross Interleave Reed-Solomon Code) による畳み込み符号が用いられているが、次世代ＭＤ１および次世代ＭＤ２の仕様では、ＲＳ−ＬＤＣ（Reed Solomon−Long Distance Code）とＢＩＳ（Burst Indicator Subcode）とを組み合わせたブロック完結型の符号が用いられている。ブロック完結型のエラー訂正符号を採用することにより、リンキングセクタが不要になる。
【００５５】
アドレス方式は、次世代ＭＤ１のディスクも次世代ＭＤ２のディスクも、シングルスパイラルによるグルーブを形成したうえで、このグルーブの両側に対してアドレス情報としてのウォブルを形成したウォブルドグルーブ方式が採用されている。このようなアドレス方式は、ＡＤＩＰ（Address in Pre-groove）と呼ばれている。
【００５６】
変調方式は、現行のＭＤシステムでは、ＥＦＭ(8 to 14 Modulation)が用いられているのに対して、次世代ＭＤ１および次世代ＭＤ２のディスクでは、ＲＬＬ（１，７）ＰＰ（ＲＬＬ;Run Length Limited ,ＰＰ;Parity Preserve/Prohibit rmtr(repeated minimum transition runlength)）（以下、１−７ｐｐ変調と称する）が採用されている。また、データの検出方式は、次世代ＭＤ１ではパーシャルレスポンスＰＲ（１，２，１）ＭＬを用い、次世代ＭＤ２ではパーシャルレスポンスＰＲ（１，−１）ＭＬを用いたビタビ復号方式とされている。
【００５７】
現行のＭＤシステムで用いられるディスクをそのまま流用する次世代ＭＤ１の仕様では、ディスク１枚当たりのデータ総記録容量は約３００Ｍバイト（８０分ディスクを用いた場合）になる。変調方式がＥＦＭから１−７ｐｐ変調とされることで、ウィンドウマージンが０．５から０．６６６となり、この点で、１．３３倍の高密度化が実現できる。また、エラー訂正方式として、ＡＣＩＲＣ方式からＢＩＳとＬＤＣを組み合わせたものとしたことで、データ効率が上がり、この点で、１．４８倍の高密度化が実現できる。総合的には、全く同様のディスクを使って、現行のＭＤシステムに比べて、約２倍のデータ容量が実現されたことになる。
【００５８】
磁気超解像度などを利用した次世代ＭＤ２の仕様のディスクでは、更に線密度方向の高密度化が図られ、データ総記録容量は、約１Ｇバイトになる。
【００５９】
図４は、次世代ＭＤ１のディスクの構成を示す図である。次世代ＭＤ１のディスクは、現行のＭＤシステムのディスクをそのまま流用したものである。すなわち、ディスクは、透明のポリカーボネート基板上に、誘電体膜と、磁性膜と、誘電体膜と、反射膜とを積層して構成される。更に、その上に、保護膜が積層される。
【００６０】
次世代ＭＤ１のディスクでは、図４に示すように、ディスクの内周（ディスクのレコーダブル領域の最も内側の周（「最も内側」は、ディスクの中心から放射状に延びる方向において最も内側を示す）のリードイン領域に、Ｐ−ＴＯＣ（プリマスタードＴＯＣ（Table Of Contents)）領域が設けられる。ここは、物理的な構造としては、プリマスタード領域となる。すなわち、エンボスピットにより、コントロール情報等が、例えば、Ｐ−ＴＯＣ情報として記録されている。
【００６１】
Ｐ−ＴＯＣ領域が設けられるリードイン領域の外周（ディスクの中心から放射状に延びる方向において外側の周）は、レコーダブル領域（光磁気記録可能な領域）とされ、記録トラックの案内溝としてグルーブが形成された記録再生可能領域となっている。このレコーダブル領域の内周には、Ｕ−ＴＯＣ（ユーザＴＯＣ）が設けられる。
【００６２】
Ｕ−ＴＯＣは、現行のＭＤシステムでディスクの管理情報を記録するために用いられているＵ−ＴＯＣと同様の構成のものである。Ｕ−ＴＯＣは、現行のＭＤシステムにおいて、トラック（オーディオトラック／データトラック）の曲順、記録、消去などに応じて書き換えられる管理情報であり、各トラック（トラックを構成するパーツ）について、開始位置、終了位置や、モードを管理するものである。
【００６３】
Ｕ−ＴＯＣの外周には、アラートトラックが設けられる。このトラックには、ディスクが現行のＭＤシステムにロードされた場合に、ＭＤプレーヤによって起動（出力）される警告音が記録される。この警告音は、そのディスクが次世代ＭＤ１方式で使用され、現行のシステムでは再生できないことを示すものである。レコーダブル領域の残りの部分は、リードアウト領域まで、放射状に延びる方向に広がっている。
【００６４】
図５は、図４に示す次世代ＭＤ１の仕様のディスクのレコーダブル領域の構成を示すものである。レコーダブル領域の先頭（内周側）には、Ｕ−ＴＯＣおよびアラートトラックが設けられる。Ｕ−ＴＯＣおよびアラートトラックが含まれる領域は、現行のＭＤシステムのプレーヤでも再生できるように、ＥＦＭでデータが変調されて記録される。ＥＦＭ変調でデータが変調されて記録される領域の外周に、次世代ＭＤ１方式の１−７ｐｐ変調でデータが変調されて記録される領域が設けられる。ＥＦＭでデータが変調されて記録される領域と、１−７ｐｐ変調でデータが変調されて記録される領域との間は所定の距離の間だけ離間されており、「ガードバンド」が設けられている。このようなガードバンドが設けられるため、現行のＭＤプレーヤに次世代ＭＤ１の仕様のディスクが装着されて、不具合が発生されることが防止される。
【００６５】
１−７ｐｐ変調でデータが変調されて記録される領域の先頭（内周側）には、ＤＤＴ（Disc Description Table）領域と、リザーブトラックが設けられる。ＤＤＴ領域には、物理的に欠陥のある領域に対する交替処理をするために設けられる。ＤＤＴ領域には、さらに、ディスク毎に固有の識別コードが記録される。以下、このディスク毎に固有の識別コードをＵＩＤ（ユニークＩＤ）と称する。次世代ＭＤ１の場合、ＵＩＤは、例えば所定に発生された乱数に基づき生成され、例えばディスクの初期化の際に記録される。ＵＩＤを用いることで、個々のディスクが識別され、ディスクの記録内容に対する強固なセキュリティ管理を行うことができる。リザーブトラックは、コンテンツの保護を図るための情報が格納される。
【００６６】
更に、１−７ｐｐ変調でデータが変調されて記録される領域には、ＦＡＴ（File Allocation Table）領域が設けられる。ＦＡＴ領域は、ＦＡＴシステムでデータを管理するための領域である。ＦＡＴシステムは、汎用のパーソナルコンピュータで使用されているＦＡＴシステムに準拠したデータ管理を行うものである。ＦＡＴシステムは、ルートにあるファイルやディレクトリのエントリポイントを示すディレクトリと、ＦＡＴクラスタの連結情報が記述されたＦＡＴテーブルとを用いて、ＦＡＴチェーンによりファイル管理を行うものである。
【００６７】
次世代ＭＤ１の仕様のディスクにおいては、Ｕ−ＴＯＣ領域には、アラートトラックの開始位置の情報と、１−７ｐｐ変調でデータが変調されて記録される領域の開始位置の情報が記録される。さらに、Ｕ−ＴＯＣ領域には、そのディスクが次世代ＭＤ１のディスクであることを表す判別情報（例えば、「ＨＩＭＤ」などの文字列）が記録されるようにしてもよい。
【００６８】
現行のＭＤシステムのプレーヤに、次世代ＭＤ１のディスクが装着されると、Ｕ−ＴＯＣ領域が読み取られ、Ｕ−ＴＯＣの情報から、アラートトラックの位置が分かり、アラートトラックがアクセスされ、アラートトラックの再生が開始される。アラートトラックには、例えば、このディスクが次世代ＭＤ１方式で使用され、現行のＭＤシステムのプレーヤでは再生できないことを示す警告音が記録されている。この警告音から、このディスクが現行のＭＤシステムのプレーヤでは使用できないことが知らされる。
【００６９】
次世代ＭＤ１に準拠したプレーヤ（例えば、記録再生装置５−１または５−２）に、次世代ＭＤ１のディスクが装着されると、Ｕ−ＴＯＣ領域が読み取られ、Ｕ−ＴＯＣの情報から、１−７ｐｐ変調でデータが記録された領域の開始位置が分かり、ＤＤＴ、リザーブトラック、ＦＡＴ領域が読み取られる。１−７ｐｐ変調のデータの領域では、Ｕ−ＴＯＣを使わずに、ＦＡＴシステムを使ってデータの管理が行われる。
【００７０】
図６は、次世代ＭＤ２のディスクの構成を示す図である。ディスクは、透明のポリカーボネート基板上に、誘電体膜と、磁性膜と、誘電体膜と、反射膜とを積層して構成される。更に、その上に、保護膜が積層される。
【００７１】
同図に示されるように、次世代ＭＤ２のディスクでは、ディスクの内周（ディスクの中心から放射状に延びる方向において内側の周）のリードイン領域には、ＡＤＩＰ信号により、コントロール情報が記録されている。次世代ＭＤ２のディスクには、リードイン領域にはエンボスピットによるＰ−ＴＯＣは設けられておらず、その代わりに、ＡＤＩＰ信号によるコントロール情報が用いられる。リードイン領域の外周からレコーダブル領域が開始され、記録トラックの案内溝としてグルーブが形成された記録再生可能領域となっている。このレコーダブル領域には、１−７ｐｐ変調で、データが変調されて記録される。
【００７２】
なお、図示されていないが、次世代ＭＤ２のディスクでは、記録可能領域の内周側の、コンシューマ向けの記録再生装置で再生可能であるが記録不可であるような領域に、上述したＵＩＤが予め記録される。次世代ＭＤ２のディスクの場合、ＵＩＤは、例えばＤＶＤ(Digital Versatile Disc)で用いられているＢＣＡ(Burst Cutting Area)の技術と同様の技術により、ディスクの製造時に予め記録される。ディスクの製造時にＵＩＤが生成され記録されるため、ＵＩＤの管理が可能となり、上述の次世代ＭＤ１による、ディスクの初期化時などに乱数に基づきＵＩＤを生成する場合に比べ、セキュリティを向上できる。
【００７３】
なお、次世代ＭＤ２においてＵＩＤが予め記録されるこの領域を、以降、ＢＣＡと呼ぶことにする。
【００７４】
次世代ＭＤ１であるか次世代ＭＤ２であるかは、例えば、リードインの情報から判断できる。すなわち、リードインにエンボスピットによるＰ−ＴＯＣが検出されれば、現行のＭＤまたは次世代ＭＤ１のディスクであると判断できる。リードインにＡＤＩＰ信号によるコントロール情報が検出され、エンボスピットによるＰ−ＴＯＣが検出されなければ、次世代ＭＤ２であると判断できる。上述したＢＣＡにＵＩＤが記録されているか否かで判断することも可能である。なお、次世代ＭＤ１と次世代ＭＤ２との判別は、このような方法に限定されるものではない。オントラックのときとオフトラックのときとのトラッキングエラー信号の位相から判別することも可能である。勿論、ディスク識別用の検出孔等を設けるようにしても良い。
【００７５】
図７は、次世代ＭＤ２の仕様のディスクのレコーダブル領域の構成を示す図である。同図４に示されるように、レコーダブル領域では全て１−７ｐｐ変調でデータが変調されて記録され、１−７ｐｐ変調でデータが変調されて記録される領域の先頭（内周側）には、ＤＤＴ領域と、リザーブトラックが設けられる。ＤＤＴ領域は、物理的に欠陥のある領域に対する交替領域を管理するための交替領域管理データを記録するために設けられる。
【００７６】
具体的には、ＤＤＴ領域は、物理的に欠陥のある上記領域に替わるレコーダブル領域を含む置き換え領域を管理する管理テーブルを記録する。この管理テーブルは、欠陥があると判定された論理クラスタを記録し、その欠陥のある論理クラスタに替わるものとして割り当てられた置き換え領域内の論理クラスタ（１つ又は複数）も記録する。さらに、ＤＤＴ領域には、上述したＵＩＤが記録される。リザーブトラックは、コンテンツの保護を図るための情報が格納される。
【００７７】
更に、１−７ｐｐ変調でデータが変調されて記録される領域には、ＦＡＴ領域が設けられる。ＦＡＴ領域は、ＦＡＴシステムでデータを管理するための領域である。ＦＡＴシステムは、汎用のパーソナルコンピュータで使用されているＦＡＴシステムに準拠したデータ管理を行うものである。
【００７８】
次世代ＭＤ２のディスクにおいては、Ｕ−ＴＯＣ領域は設けられていない。次世代ＭＤ２に準拠したプレーヤに、次世代ＭＤ２のディスクが装着されると、所定の位置にあるＤＤＴ、リザーブトラック、ＦＡＴ領域が読み取られ、ＦＡＴシステムを使ってデータの管理が行われる。
【００７９】
次世代ＭＤ１および次世代ＭＤ２のディスクでは、時間のかかる初期化作業は不要とされる。すなわち、次世代ＭＤ１および次世代ＭＤ２の仕様のディスクでは、ＤＤＴやリザーブトラック、ＦＡＴテーブル等の最低限のテーブルの作成以外に、初期化作業は不要で、未使用のディスクからレコーダブル領域の記録再生を直接行うことが可能である。
【００８０】
なお、次世代ＭＤ２のディスクは、上述したように、ディスクの製造時にＵＩＤが生成され記録されるため、より強固にセキュリティ管理を行うことが可能である一方、現行のＭＤシステムで用いられるディスクに比べて膜の積層数が多く、より高価である。そこで、ディスクの記録可能領域およびリードイン、リードアウト領域は、次世代ＭＤ１と共通とし、ＵＩＤのみ、ＤＶＤと同様のＢＣＡを用いて次世代ＭＤ２と同様にしてディスクの製造時に記録するようにしたディスクシステム（次世代ＭＤ１．５と称する）も提案されている。本発明では、次世代ＭＤ１．５に関して、特に必要となる場合を除き、説明を省略する。すなわち、次世代ＭＤ１．５は、ＵＩＤに関しては次世代ＭＤ２に準じ、オーディオデータの記録再生などに関しては次世代ＭＤ１に準ずるものとする。
【００８１】
次に、上述したＵＩＤについて、より詳細に説明する。上述したように、次世代ＭＤ２のディスクにおいて、ＵＩＤは、ＤＶＤで用いられているＢＣＡと称される技術と同様の技術により、ディスクの製造時に予め記録される。図８に、このＵＩＤの一例のフォーマットの例を概略的に示す。ＵＩＤの全体をＵＩＤレコードブロックと称する。
【００８２】
ＵＩＤブロックにおいて、先頭から２バイト分がＵＩＤコードのフィールドとされる。ＵＩＤコードは、２バイトすなわち１６ビットのうち上位４ビットがディスク判別用とされる。例えば、この４ビットが〔００００〕で当該ディスクが次世代ＭＤ２のディスクであることが示され、〔０００１〕で当該ディスクが次世代ＭＤ１．５のディスクであることが示される。ＵＩＤコードの上位４ビットの他の値は、例えば将来の拡張のために予約される。ＵＩＤコードの下位１２ビットは、アプリケーションＩＤとされ、例えば、４０９６種類のアプリケーションサービスに対応することができる。
【００８３】
ＵＩＤコードの次に１バイトのバージョンナンバのフィールドが配され、その次に、１バイトでデータ長のフィールドが配される。このデータ長により、データ長の次に配されるＵＩＤレコードデータのフィールドのデータ長が示される。ＵＩＤレコードデータのフィールドは、ＵＩＤ全体のデータ長が１８８バイトを超えない範囲で、４ｍ（ｍ＝０、１、２、・・・）バイト分、配される。ＵＩＤレコードデータのフィールドに、所定の方法で生成したユニークなＩＤを格納することができ、これにより、ディスク個体が識別可能とされる。
【００８４】
なお、次世代ＭＤ１のディスクでは、このＵＩＤレコードデータのフィールドに、乱数に基づき生成されたＩＤが記録される。
【００８５】
ＵＩＤレコードブロックは、最大１８８バイトまでのデータ長で、複数個、作ることができる。
【００８６】
次に、記録再生装置５−１または５−２の構成について説明する。なお、記録再生装置５−１または５−２を個々に区別する必要がない場合、単に記録再生装置５と称する。図９は、記録再生装置５の構成例を示すブロック図である。
【００８７】
同図において、記録再生装置５には、メディアドライブ部１０２、メモリ転送コントローラ１０３、クラスタバッファメモリ１０４、補助メモリ１０５、ＵＳＢ（Universal Serial Bus）インタフェース１０６，および１０８、ＵＳＢハブ１０７、システムコントローラ１０９、オーディオ処理部１１０が設けられている。
【００８８】
メディアドライブ部１０２は、装填されたディスク２１に対する記録／再生を行う。ディスク２１は、上述したように、次世代ＭＤ１のディスク、次世代ＭＤ２のディスク、または現行のＭＤのディスクである。
【００８９】
メモリ転送コントローラ１０３は、メディアドライブ部２からの再生データやメディアドライブ部１０２に供給する記録データについての受け渡しの制御を行う。
【００９０】
クラスタバッファメモリ１０４は、メモリ転送コントローラ１０３の制御に基づいて、メディアドライブ部１０２によってディスク２１のデータトラックからレコーディングブロック単位で読み出されたデータのバッファリングを行う。
【００９１】
補助メモリ１０５は、メモリ転送コントローラ１０３の制御に基づいて、メディアドライブ部１０２によってディスク２１から読み出されたデータ、各種管理情報、特殊情報などを記憶する。
【００９２】
システムコントローラ１０９は、記録再生装置５の各部の制御を行うと共に、接続されたパーソナルコンピュータ４との間の通信制御を行う。
【００９３】
すなわち、システムコントローラ１０９は、ＵＳＢインタフェース１０８、ＵＳＢハブ１０７を介して接続されたパーソナルコンピュータ４との間で通信可能とされ、書込要求、読出要求等のコマンドの受信やステイタス情報その他の必要情報の送信などを行う。
【００９４】
システムコントローラ１０９は、例えばディスク２１がメディアドライブ部１０２に装填されることに応じて、ディスク２１からの管理情報等の読出をメディアドライブ部１０２に指示し、メモリ転送コントローラ１０３によって読み出した管理情報等を補助メモリ１０５に格納させる。
【００９５】
パーソナルコンピュータ４からのあるＦＡＴセクタの読出要求があった場合は、システムコントローラ１０９はメディアドライブ部１０２に、そのＦＡＴセクタを含むデータブロックの読み出しを実行させる。読み出されたデータブロックのデータはメモリ転送コントローラ１０３によってクラスタバッファメモリ１０４に書き込まれる。
【００９６】
システムコントローラ１０９はクラスタバッファメモリ１０４に書き込まれているデータブロックのデータから、要求されたＦＡＴセクタのデータを読み出させ、ＵＳＢインタフェース１０６、ＵＳＢハブ１０７を介してパーソナルコンピュータ４に送信させる制御を行う。
【００９７】
例えば、パーソナルコンピュータ４から、あるＦＡＴセクタの書き込み要求があった場合は、システムコントローラ１０９はメディアドライブ部１０２に、まずそのＦＡＴセクタを含むデータブロックの読み出しを実行させる。読み出されたデータブロックはメモリ転送コントローラ１０３によってクラスタバッファメモリ１０４に書き込まれる。
【００９８】
システムコントローラ１０９は、パーソナルコンピュータ４からのＦＡＴセクタのデータをＵＳＢインタフェース１０６を介してメモリ転送コントローラ１０３に供給させ、クラスタバッファメモリ１０４上で、該当するＦＡＴセクタのデータの書き換えを実行させる。
【００９９】
システムコントローラ１０９は、メモリ転送コントローラ１０３に指示して、必要なＦＡＴセクタが書き換えられた状態でクラスタバッファメモリ４に記憶されているデータブロックのデータを、記録データとしてメディアドライブ部１０２に転送させる。メディアドライブ部１０２では、そのデータブロックの記録データを変調してディスク２１に書き込む。
【０１００】
また、システムコントローラ１０９に対して、スイッチ１５０が接続されている。このスイッチ１５０は、記録再生装置５の動作モードを次世代ＭＤ１システムおよび現行ＭＤシステムの何れかに設定する。すなわち、記録再生装置５では、現行のＭＤシステムによるディスク２１に対して、現行のＭＤシステムのフォーマットと、次世代ＭＤ１システムのフォーマットの両方で、オーディオデータの記録を行うことができる。このスイッチ１５０により、ユーザに対して記録再生装置５の動作モードを明示的に示すことができる。機械的構造のスイッチが示されているが、電気または磁気を利用したスイッチ、あるいはハイブリッド型のスイッチを使用することもできる。
【０１０１】
ディスプレイ１５１は、例えばＬＣＤ(Liquid Crystal Display)で構成され、テキストデータや簡単なアイコンなどを表示することにより、システムコントローラ１０９から供給される表示制御信号に基づき、記録再生装置５の状態に関する情報や、メッセージなどをユーザに提示する。
【０１０２】
オーディオ処理部１１０は、入力系として、例えばライン入力回路／マイクロホン入力回路等のアナログ音声信号入力部、Ａ／Ｄ変換器や、ディジタルオーディオデータ入力部を備え、オーディオデータの入出力を制御する。また、オーディオ処理部１１０はＡＴＲＡＣ圧縮エンコーダ／デコーダや、圧縮データのバッファメモリを備え、オーディオデータのエンコード、デコードの処理を制御する。更に、オーディオ処理部１１０には、出力系として、ディジタルオーディオデータ出力部や、Ｄ／Ａ変換器およびライン出力回路／ヘッドホン出力回路等のアナログ音声信号出力部が設けられる。
【０１０３】
メディアインタフェース１１１は、ディスク２１以外のメディアとのデータの送受信を制御する。例えば、メディアインタフェースを介してディスク２２（記録再生装置５−２）との接続が行われるようにしてもよいし、メモリーカード、光ディスクなどのメディアを駆動する別のメディアドライブとの接続が行われるようにしてもよい。
【０１０４】
なお、パーソナルコンピュータ４との接続はＵＳＢに限られるものではではなく、ＩＥＥＥ(Institute of Electrical and Electronics Engineers)１３９４等の他の外部インタフェース、または無線接続などが用いられるようにしてもよい。
【０１０５】
次に、記録再生装置５によるデータの管理方式について説明する。記録装置５は、次世代ＭＤ１または次世代ＭＤ２のディスクを利用してセキュアーコンテンツを記録することができる。
【０１０６】
上述したように、次世代ＭＤ１および次世代ＭＤ２のシステムでは、ＦＡＴシステムでデータが管理される。また、記録されるセキュアーコンテンツ（例えば、オーディオデータ）は、所望の圧縮方式で圧縮され、著作者の権利の保護のために、暗号化される。オーディオデータの圧縮方式としては、例えば、ＡＴＲＡＣ３、ＡＴＲＡＣ５等を用いることが考えられている。勿論、ＭＰ３(MPEG1 Audio Layer-3 )やＡＡＣ（MPEG2 Advanced Audio Coding )等、それ以外の圧縮方式を用いることも可能である。
【０１０７】
また、セキュアーコンテンツとして、オーディオデータばかりでなく、静止画データや動画データを扱うことも可能である。勿論、ＦＡＴシステムを使っているので、テキストデータなどの汎用データの記録再生を行うこともできる。更に、コンピュータが読み取り可能でかつ実行可能な命令をディスク上に符号化することもでき、次世代ＭＤ１または次世代ＭＤ２は、実行可能ファイルを含むこともできることになる。
【０１０８】
このような次世代ＭＤ１および次世代ＭＤ２のディスクに、セキュアーコンテンツとして、オーディオデータを記録再生するときの管理方式について説明する。
【０１０９】
次世代ＭＤ１のシステム、および次世代ＭＤ２のシステムでは、長時間で高音質の音楽データが再生できるようにしたことから、１枚のディスクで管理される楽曲の数も、膨大になっている。また、ＦＡＴシステムを使って管理することで、コンピュータとの親和性が図られている。これにより、ユーザの利便性向上が図れるというメリットがある反面、音楽データが違法にコピーされてしまい、著作権者の保護が図られなくなる恐れもある。このため、上述したようにセキュアーコンテンツは暗号化してディスクに記録されている。ここでは、セキュアーコンテンツとしてのオーディオデータの管理方式について、２つの例を説明する。
【０１１０】
図１０は、オーディオデータの第１の管理方式の例を示す図である。同図に示されるように、第１の管理方式では、ディスク上には、トラックインデックスファイルと、オーディオデータファイルとが生成される。トラックインデックスファイルおよびオーディオデータファイルは、ＦＡＴシステムで管理されるファイルである。
【０１１１】
オーディオデータファイルは、図１１に示すように、複数の音楽データが１つのファイルとして納められたものであり、ＦＡＴシステムでオーディオデータファイルを見ると、１つの巨大なファイルに見える。オーディオデータファイルは、その内部がパーツとして区切られ、オーディオデータは、パーツの集合として扱われる。
【０１１２】
トラックインデックスファイルは、オーディオデータファイルに納められた音楽データを管理するための各種の情報が記述されたファイルである。トラックインデックスファイルは、例えば、図１２に示すように、プレイオーダテーブル、プログラムドプレイオーダテーブルと、グループインフォメーションテーブル、トラックインフォメーションテーブル、パーツインフォメーションテーブル、およびネームテーブルにより構成される。
【０１１３】
プレイオーダテーブルは、デフォルトで定義された再生順序を示すテーブルである。プレイオーダテーブルには、図１３に示すように、各トラックナンバ（曲番）についてのトラックインフォメーションテーブルのトラックデスクリプタ（後述）へのリンク先を示す情報ＴＩＮＦ１、ＴＩＮＦ２、…が格納されている。トラックナンバは、例えば「１」から始まる連続したナンバである。
【０１１４】
プログラムドプレイオーダテーブルは、再生手順を各ユーザが定義したテーブルである。プログラムドプレイオーダテーブルには、図１４に示すように、各トラックナンバについてのトラックデスクリプタへのリンク先の情報トラック情報ＰＩＮＦ１、ＰＩＮＦ２、…が記述されている。
【０１１５】
グループインフォメーションテーブルには、グループに関する情報が記述されている。ここで、グループは、連続したトラックナンバを持つ１つ以上のトラックの集合、または連続したプログラムドトラックナンバを持つ１つ以上のトラックの集合である。グループインフォメーションテーブルは、図１５に示されるように、各グループのグループデスクリプタで記述されている。そして、グループデスクリプタには、図１６に示すように、そのグループが開始されるトラックナンバ、終了トラックのナンバ、グループネーム、およびフラグが記述される。
【０１１６】
トラックインフォメーションテーブルは、各曲に関する情報が記述される。トラックインフォメーションテーブルは、図１７に示されるように、各トラック毎（各曲毎）のトラックデスクリプタからなる。各トラックデスクリプタには、図１８に示されるように、符号化方式、著作権管理情報、コンテンツの復号鍵情報、その楽曲が開始するエントリとなるパーツナンバへのポインタ情報、アーチストネーム、タイトルネーム、元曲順情報、録音時間情報等が記述されている。アーチストネーム、タイトルネームは、ネームそのものではなく、ネームテーブルへのポインタ情報が記述されるようにしてもよい。
【０１１７】
パーツインフォメーションテーブルは、パーツナンバから実際の楽曲の位置をアクセスするポインタが記述されている。パーツインフォメーションテーブルは、図１９に示されるように、各パーツ毎のパーツデスクリプタからなる。パーツとは、１トラック（楽曲）の全部、または１トラックを分割した各パーツである。図２０は、パーツインフォメーションテーブル内のパーツデスクリプタの構成例を示す図である。同図に示されるように、パーツデスクリプタには、オーディオデータファイル上のそのパーツの先頭のアドレスと、そのパーツの終了のアドレスと、そのパーツに続くパーツへのリンク先とが記述される。
【０１１８】
ネームテーブルは、ネームの実体となる文字を表すためのテーブルである。ネームテーブルは、図２１に示されるように、複数のネームスロットからなる。各ネームスロットは、ネームを示す各ポインタからリンクされて呼び出される。ネームを呼び出すポインタは、トラックインフォメーションテーブルのアーチストネームやタイトルネーム、グループインフォメーションテーブルのグループネーム等がある。また、各ネームスロットは、複数から呼び出されることが可能である。各ネームスロットは、図２２に示されるように、文字情報であるネームデータ、この文字情報の属性であるネームタイプ、およびリンク先からなる。１つのネームスロットで収まらないような長いネームは、複数のネームスロットに分割して記述することが可能である。そして、１つのネームスロットで収まらない場合には、それに続くネームが記述されたネームスロットへのリンク先が記述される。
【０１１９】
オーディオデータの第１の管理方式においては、図２３に示されるように、プレイオーダテーブル（図１３）により、再生するトラックナンバが指定されると、トラックインフォメーションテーブルのリンク先のトラックデスクリプタ（図１７）が読み出され、このトラックデスクリプタから、符号化方式、著作権管理情報、コンテンツの復号鍵情報、その楽曲が開始するパーツナンバへのポインタ情報、アーチストネームおよびタイトルネームのポインタ、元曲順情報、録音時間情報等が読み出される。
【０１２０】
トラックインフォメーションテーブルから読み出されたパーツナンバの情報から、パーツインフォメーションテーブル（図１９）にリンクされ、このパーツインフォメーションテーブルから、そのトラック（楽曲）の開始位置に対応するパーツの位置のオーディオデータファイルがアクセスされる。オーディオデータファイルのパーツインフォメーションテーブルで指定される位置のパーツのデータがアクセスされたら、その位置から、オーディオデータの再生が開始される。このとき、トラックインフォメーションテーブルのトラックデスクリプタから読み出された符号化方式に基づいて復号化が行われる。オーディオデータが暗号化されている場合には、トラックデスクリプタから読み出された鍵情報が使われる。
【０１２１】
そのパーツに続くパーツがある場合には、そのパーツのリンク先がパーツデスクリプタが記述されており、このリンク先にしたがって、パーツデスクリプタが順に読み出される。このパーツデスクリプタのリンク先を辿っていき、オーディオディデータファイル上で、そのパーツデスクリプタで指定される位置にあるパーツのオーディオデータを再生していくことで、所望のトラック（楽曲）のオーディオディオデータが再生できる。
【０１２２】
また、トラックインフォメーションテーブルから読み出されたアーチストネームやタイトルネームのポインタにより指し示される位置（ネームポインタ情報）にあるネームテーブルのネームスロット（図２１）が呼び出され、その位置にあるネームスロットから、ネームデータが読み出される。
【０１２３】
このように、オーディオデータを再生するとき、トラックインフォメーションテーブルに基づいて、そのオーディオデータを構成するパーツの位置が特定されるとともに、トラックインフォメーションテーブルのトラックデスクリプタから読み出された符号化方式に基づいて復号化が行われ、トラックデスクリプタから読み出された鍵情報に基づいて暗号化されたオーディオデータが復号される。したがって、この管理方式に則さないデータ（いまの場合、トラックインフォメーションテーブルに所定の情報が記述されていないデータ）は、例えオーディオデータであっても記録再生装置５では再生することはできない。このようにして、セキュアーコンテンツの著作権保護をより強固にすることができる。
【０１２４】
次に、オーディオデータの第２の管理方式の例について説明する。図２４に示されるように、第２の管理方式では、ディスク上には、トラックインデックスファイルと、複数のオーディオデータファイルとが生成される。トラックインデックスファイルおよび複数のオーディオデータファイルは、ＦＡＴシステムで管理されるファイルである。
【０１２５】
オーディオデータファイルは、図２５に示されるように、原則的には１曲が１ファイルの音楽データが納められたものである。このオーディオデータファイルには、ヘッダが設けられている。ヘッダには、タイトルと、復号鍵情報と、著作権管理情報とが記録されるとともに、インデックス情報が設けられる。インデックスは、１つのトラックの楽曲を複数に分割するものである。ヘッダには、インデックスにより分割された各トラックの位置がインデックスナンバに対応して記録される。インデックスは、例えば、２５５箇設定できる。
【０１２６】
トラックインデックスファイルは、オーディオデータファイルに納められた音楽データを管理するための各種の情報が記述されたファイルである。トラックインデックスファイルは、図２６に示されるように、プレイオーダテーブルと、プログラムドプレイオーダテーブルと、グループインフォメーションテーブルと、トラックインフォメーションテーブルと、ネームテーブルとからなる。
【０１２７】
プレイオーダテーブルは、デフォルトで定義された再生順序を示すテーブルである。プレイオーダテーブルには、図２７に示されるように、各トラックナンバ（曲番）についてのトラックインフォメーションテーブルのトラックデスクリプタ（図４６）へのリンク先を示す情報ＴＩＮＦ１、ＴＩＮＦ２、…が格納されている。トラックナンバは、例えば「１」から始まる連続したナンバである。
【０１２８】
プログラムドプレイオーダテーブルは、再生手順を各ユーザが定義したテーブルである。プログラムドプレイオーダテーブルには、図２８に示されるように、各トラックナンバについてのトラックデスクリプタへのリンク先の情報トラック情報ＰＩＮＦ１、ＰＩＮＦ２、…が記述されている。
【０１２９】
グループインフォメーションテーブルには、図２９に示されるように、グループに関する情報が記述されている。グループは、連続したトラックナンバを持つ１つ以上のトラックの集合、または連続したプログラムドトラックナンバを持つ１つ以上のトラックの集合である。グループインフォメーションテーブルは、図３０に示されるように、各グループのグループデスクリプタで記述されている。グループデスクリプタには、そのグループが開始されるトラックナンバと、終了トラックのナンバと、グループネームと、フラグが記述される。
【０１３０】
トラックインフォメーションテーブルには、各曲に関する情報が記述される。トラックインフォメーションテーブルは、図３１に示されるように、各トラック毎（各曲毎）のトラックデスクリプタからなる。各トラックデスクリプタには、図３２に示されるように、その楽曲が納められているオーディオデータファイルのファイルのポインタ、インデックスナンバ、アーチストネーム、タイトルネーム、元曲順情報、録音時間情報等が記述されている。アーチストネーム、タイトルネームは、ネームそのものではなく、ネームテーブルへのポインタであってもよい。
【０１３１】
ネームテーブルは、ネームの実体となる文字を表すためのテーブルである。ネームテーブルは、図３３に示されるように、複数のネームスロットからなる。各ネームスロットは、ネームを示す各ポインタからリンクされて呼び出される。ネームを呼び出すポインタは、トラックインフォメーションテーブルのアーチストネームやタイトルネーム、グループインフォメーションテーブルのグループネーム等がある。また、各ネームスロットは、複数から呼び出されることが可能である。各ネームスロットは、図３４に示されるように、ネームデータと、ネームタイプと、リンク先とからなる。１つのネームスロットで収まらないような長いネームは、複数のネームスロットに分割して記述することが可能である。そして、１つのネームスロットで収まらない場合には、それに続くネームが記述されたネームスロットへのリンク先が記述される。
【０１３２】
オーディオデータの第２の管理方式においては、図３５に示されるように、プレイオーダテーブル（図２７）により、再生するトラックナンバが指定されると、トラックインフォメーションテーブルのリンク先のトラックデスクリプタ（図３１）が読み出され、このトラックデスクリプタから、その楽曲のファイルポインタおよびインデックスナンバ、アーチストネームおよびタイトルネームのポインタ、元曲順情報、録音時間情報等が読み出される。
【０１３３】
そして、その楽曲のファイルのポインタから、そのオーディオデータファイルがアクセスされ、そのオーディオデータファイルのヘッダの情報が読み取られる。オーディオデータが暗号化されている場合には、ヘッダから読み出された鍵情報が使われる。そして、そのオーディオデータファイルが再生される。このとき、もし、インデックスナンバが指定されている場合には、ヘッダの情報から、指定されたインデックスナンバの位置が検出され、そのインデックスナンバの位置から、再生が開始される。
【０１３４】
また、トラックインフォメーションテーブルから読み出されたアーチストネームやタイトルネームのポインタにより指し示される位置にあるネームテーブルのネームスロットが呼び出され、その位置にあるネームスロットから、ネームデータが読み出される。
【０１３５】
このように、オーディオデータを再生するとき、トラックインフォメーションテーブルのトラックデスクリプタから、その楽曲のファイルポインタが特定され、ファイルポインタに基づいてその楽曲のオーディオファイルが特定されるとともに、オーディオファイルのヘッダに含まれる鍵情報に基づいて暗号化されたオーディオデータが復号される。したがって、この管理方式に則さないデータは、例えオーディオデータであっても記録再生装置５では再生することはできない。このようにして、セキュアーコンテンツの著作権保護をより強固にすることができる。
【０１３６】
以上のような管理方式により記録再生されるセキュアーコンテンツは、図３を参照して上述したように、ディスク２１からディスク２２に移動される。
【０１３７】
図３６は、図９のシステムコントローラ１０９により実行されるソフトウェアの機能的構成例を示すブロック図である。
【０１３８】
同図において、操作入力受付部２０１は、ユーザによる操作の入力を受け付け、ディスク種類判別部２０２、コンテンツ移動制御部２０３、データコピー制御部２０４に操作内容に対応するコマンドなどを出力する。
【０１３９】
ディスク種類判定部２０２は、記録再生装置５に装着されたディスクの種類が、現行ＭＤのディスク、次世代ＭＤ１のディスク、または次世代ＭＤ２のディスクのいずれであるかを判定し、その判定結果をコンテンツ移動制御部２０３、またはデータコピー制御部２０４に出力する。
【０１４０】
コンテンツ移動制御部２０３は、ディスク種類判定部２０２の判定結果に基づいて、コンテンツのディスクからディスクへの移動を制御する。
【０１４１】
データコピー制御部２０４は、ディスク種類判定部２０２の判定結果に基づいて、データ（コンテンツ）のディスクから補助メモリ１０５、または補助メモリ１０５からディスクへのコピーを制御する。
【０１４２】
ディスク記録実行部２０５は、コンテンツ移動制御部２０３またはデータコピー制御部２０４の指令に基づいて、メディアドライブ部１０２を制御してディスクへのデータの書き込みを行わせる。
【０１４３】
次に、図３７のフローチャートを参照して、記録再生装置５による、メディア間でコンテンツを移動（またはコピー）させるコンテンツ移動処理について説明する。この処理は、例えば、ユーザがディスプレイ１５１の表示内容に基づいて、図示せぬ入力部を操作することにより、メディア間でのコンテンツの移動が指令されたとき、実行される。ここでは、記録再生装置５−１において、ディスク２１に記録されたコンテンツを、記録再生装置５−２のディスク２２に移動することが指令された場合の例について説明する。
【０１４４】
ステップS１において、操作入力受付部２０１は、ユーザの操作により、コンテンツの移動またはコピーが指令されたか否かを判定し、コンテンツの移動またはコピーが指令されたと判定されるまで待機する。
【０１４５】
ステップS２において、操作入力受付部２０１は、ステップS１で指令されたと判定された操作の内容に基づいて、移動するコンテンツと移動先のメディアの情報を取得する。いまの場合、移動するコンテンツとして、ディスク２１に記録されているコンテンツのコンテンツ名（例えば、コンテンツA、コンテンツBなど）が取得され、移動先のメディアの情報として、ディスク２２を特定する情報が取得される。
【０１４６】
ステップS３において、ディスク種類判定部２０２は、移動元のディスクの種類を判定する。いまの場合、ディスク２１の種類が、現行ＭＤのディスク、次世代ＭＤ１のディスク、または次世代ＭＤ２のディスクのいずれであるかが判定される。
【０１４７】
ディスクの種類の判定は、例えば、次のようにして行われる。すなわち、リードインにエンボスピットによるＰ−ＴＯＣが検出されれば、現行のＭＤまたは次世代ＭＤ１のディスクであると判断でき、Ｕ−ＴＯＣの外周のアラートトラックに、警告音などの所定の情報が記録されていなければ、現行ＭＤのディスクと判断できる。また、リードインにＡＤＩＰ信号によるコントロール情報が検出され、エンボスピットによるＰ−ＴＯＣが検出されなければ、次世代ＭＤ２であると判断できる。
【０１４８】
あるいは、サーボ信号の立ち上がりや立ち下がり等を識別することにより、次世代ＭＤ２のみが選択的に判別され、次に、ＵＴＯＣにおける所定の記録位置の判別情報（例えば、「ＨＩＭＤ」等の文字列）に基づいて、次世代ＭＤ１が選択的に判別されるようにしてもよい。
【０１４９】
なお、ディスクの種類の判定方法はこれに限られるものではなく、例えば、オントラックのときとオフトラックのときとのトラッキングエラー信号の位相からディスクの種類が判定されるようにしてもよいし、ディスク識別用の検出孔等が設けられるようにしても良い。
【０１５０】
ステップS４において、ディスク種類判定部２０２は、ステップS３の処理による判定結果が、現行ＭＤのディスクであったか否かを判定し、現行ＭＤのディスクではないと判定された場合、すなわち、ディスク２１は、次世代ＭＤ１のディスク、または次世代ＭＤ２のディスクであると判定された場合、処理はステップＳ５に進む。
【０１５１】
ステップＳ５において、コンテンツ移動制御部２０３は、移動（またはコピー）するコンテンツの種類を判定される。ここでは、コンテンツの種類として、セキュアーコンテンツか、ノンセキュアーコンテンツかが判定される。
【０１５２】
ステップＳ６において、コンテンツ移動制御部２０３は、図３８を参照して後述するコンテンツ種類別処理を実行する。これにより、セキュアーコンテンツまたはノンセキュアーコンテンツのそれぞれに対応して、コンテンツの移動またはコピーが行われる。
【０１５３】
ステップＳ４において、移動元のディスクが現行ＭＤのディスクであると判定された場合、処理は、ステップＳ８に進み、ディスク記録実行部２０５は、メディアインタフェース１１１を介して記録再生装置５−２にアクセスし、移動先のメディアであるディスク２２にコンテンツを移動する。すなわち、現行ＭＤのディスクには、セキュアーコンテンツは記録できないので、ノンセキュアーコンテンツの移動またはコピーが行われることになる。
【０１５４】
次に、図３８のフローチャートを参照して、図３７のステップＳ６のコンテンツ種類別処理の詳細について説明する。
【０１５５】
ステップS２１において、コンテンツ移動制御部２０３は、ステップS５の処理により、移動またはコピーするコンテンツは、セキュアーコンテンツか否かを判定し、セキュアーコンテンツであると判定された場合、処理は、ステップS２２に進む。
【０１５６】
ステップＳ２２において、コンテンツ移動制御部２０３は、移動先のメディアの種類を判定する。このとき、メディアインタフェース１１１を介して記録再生装置５−２からディスク２２の種類に関する情報が取得される。このとき、記録再生装置５−２は、ステップＳ３の処理と同様にして、ディスク２２の種類を判定し、その判定結果を、メディアインタフェース１１１を介して送信する。
【０１５７】
ステップＳ２３において、コンテンツ移動制御部２０３は、ステップＳ２２の処理により判定されたメディアの種類がセキュアーなメディアであるか否かを判定する。ここで、セキュアーなメディアとは、上述した図１０乃至図３５を参照して上述したセキュアーコンテンツの管理方式に対応するメディアを指すものであり、例えば、次世代ＭＤ１のディスク、または次世代ＭＤ２のディスクはセキュアーなメディアと判定される。
【０１５８】
ステップＳ２３において、移動先のメディアの種類がセキュアーなメディアであると判定された場合、処理はステップＳ２４に進み、コンテンツ移動制御部２０３は、ディスク記録実行部２０５を制御して、メディアインタフェース１１１を介して記録再生装置５−２にアクセスし、移動先のメディアであるディスク２２にコンテンツを移動させる。これにより、図３を参照して上述したように、セキュアーコンテンツであるコンテンツＡがディスク２２に移動される。なお、図３を参照して上述したように、セキュアーコンテンツについては、コピーは許可されず、移動のみ可能となる。
【０１５９】
一方、ステップＳ２３において、移動先のメディアの種類がセキュアーなメディアではないと判定された場合、処理はステップＳ２５に進み、コンテンツ移動制御部２０３は、エラー処理を行う。すなわち、セキュアーコンテンツをセキュアーなメディア以外のメディアに移動させることはできないので、処理エラーとなる。このとき、例えば、ディスプレイ１５１に、移動先のメディアがセキュアーなメディアでないため、コンテンツを移動できない旨のメッセージが表示され、ユーザに通知される。
【０１６０】
一方、ステップS２１において、移動またはコピーするコンテンツは、セキュアーコンテンツではない（すなわち、ノンセキュアーコンテンツ）と判定された場合、処理は、ステップS２６に進み、コンテンツ移動制御部２０３は、ディスク記録実行部２０５を制御して、メディアインタフェース１１１を介して記録再生装置５−２にアクセスし、移動先のメディアであるディスク２２にコンテンツを移動させる。これにより、図３を参照して上述したように、ノンセキュアーコンテンツであるコンテンツＢがディスク２２に移動される。
【０１６１】
このようにして、メディア間でのコンテンツの移動（またはコピー）が行われる。移動またはコピーされるコンテンツがセキュアーコンテンツか、ノンセキュアーコンテンツかを判定し、当該コンテンツがセキュアーコンテンツであった場合、さらに移動先のメディアがセキュアーなメディアであるか否かを判定して、コンテンツの移動を行うようにしたので、コンテンツの著作権をより強固にかつ適切に保護することができる。
【０１６２】
なお、この例では、記録再生装置５−１のディスク２１から記録再生装置５−２のディスク２２にコンテンツが移動される例について説明したが、例えば、メディアインタフェース１１１を介して、新たなメディアドライブ部が接続され、そのメディアドライブ部にディスク２２が装着されるようにしてもよい。すなわち、記録再生装置５−１が２つのメディアドライブ部を備え、記録再生装置５−１にディスク２１とディスク２２が装着されるようすることも可能であり、この場合も、図３７と図３８を参照して上述したようにコンテンツ移動処理を行うことができる。
【０１６３】
さらに、この例では、１つのディスクから別のディスクへコンテンツが移動される例について説明したが、例えば、ディスクからメモリーカードなどのメディアにコンテンツが移動されるようにしてもよい。この場合、移動先のメディアが、例えば、マジックゲートメモリースティックインタフェース（ＭＧＭＳ）、メモリースティックプロ（MSpro）（いずれも商標）など、コンテンツをセキュアーに管理できるメディアか否かが、図３８のステップS２２で判定されることになる。
【０１６４】
あるいはまた、メディアインタフェース１１１を介して、例えば、携帯電話機などにより構成され、やはりコンテンツをセキュアーに管理することが可能な、別のポータブルデバイスが接続され、ディスク２１からそのポータブルデバイスが内蔵する記録部に対してコンテンツが移動されるようにしてもよい。
【０１６５】
ところで、これまで記録再生装置５は、おもにオーディオデータの記録／再生を行うものとして説明してきたが、記録再生装置５の用途はこれに限られるものではない。例えば、記録再生装置５に撮像部を追加することにより、記録再生装置５をデジタルスチルカメラとして利用するという用途も考えられる。この場合、記録再生装置５により撮像された画像は、ディスク（例えば、次世代ＭＤ１または次世代ＭＤ２のディスク２１）に記録されることになる。
【０１６６】
近年、デジタルスチルカメラで撮影した画像のデータを、例えば、写真の焼き増しのように、その場で複製して他の人に渡したいというニーズが高まっており、デジタルスチルカメラが画像のデータを簡単に複製できるアプリケーションを実装している場合も多い。図３９は、撮影された画像データを複製して提供する例を説明する図である。いま、記録再生装置５により画像が撮像され、その画像のデータがコンテンツＢとしてディスクＡに記録されているものとする。
【０１６７】
画像のデータ（コンテンツＢ）を複製して他の人に渡す場合、ユーザは、画像のデータを簡単に複製できるアプリケーションを実行し、これにより他の人が所有するディスクＢにコンテンツＢが複製されるようにすればよい。すなわち、コンテンツＢを記録再生装置５の補助メモリ１０５に一旦記録してから、ディスクＡを取り出し、新たにディスクＢを記録再生装置５に装着してから、コンテンツＢを、補助メモリ１０５からディスクＢに記録させるようにすればよい。なお、ディスクＡに、セキュアーコンテンツであるコンテンツＡがある場合、セキュアーコンテンツは著作権保護のため、コピーすることはできず、移動のみ可能とされるため、コンテンツＡは、補助メモリ１０５に記録されない。
【０１６８】
図４０と図４１のフローチャートを参照して、上述した、コンテンツを複製して他の人に渡す場合の、データコピー処理の詳細について説明する。この処理は、例えば、記録再生装置５において、画像のデータを簡単に複製できるアプリケーションが実装されており、ユーザがディスプレイ１５１の表示内容に基づいて、図示せぬ入力部を操作して、その実行を指令することにより実行される。
【０１６９】
ステップS４１において、操作入力受付部２０１は、コピー（すなわち、アプリケーションの実行）が指令されたか否かを判定し、指令されたと判定されるまで待機する。
【０１７０】
ステップS４２において、ディスク種類判定部２０２は、現在、記録再生装置５に装着されているディスクの種類を判定する。これによりディスクの種類が、現行ＭＤのディスク、次世代ＭＤ１のディスク、または次世代ＭＤ２のディスクのいずれであるかが判定される。
【０１７１】
ディスクの種類の判定は、例えば、次のようにして行われる。すなわち、リードインにエンボスピットによるＰ−ＴＯＣが検出されれば、現行のＭＤまたは次世代ＭＤ１のディスクであると判断でき、Ｕ−ＴＯＣの外周のアラートトラックに、警告音などの所定の情報が記録されていなければ、現行ＭＤのディスクと判断できる。また、リードインにＡＤＩＰ信号によるコントロール情報が検出され、エンボスピットによるＰ−ＴＯＣが検出されなければ、次世代ＭＤ２であると判断できる。
【０１７２】
あるいは、サーボ信号の立ち上がりや立ち下がり等を識別することにより、次世代ＭＤ２のみが選択的に判別され、次に、ＵＴＯＣにおける所定の記録位置の判別情報（例えば、「ＨＩＭＤ」等の文字列）に基づいて、次世代ＭＤ１が選択的に判別されるようにしてもよい。
【０１７３】
なお、ディスクの種類の判定方法はこれに限られるものではなく、例えば、オントラックのときとオフトラックのときとのトラッキングエラー信号の位相からディスクの種類が判定されるようにしてもよいし、ディスク識別用の検出孔等が設けられるようにしても良い。
【０１７４】
ステップS４３において、ディスク種類判定部２０２は、ステップS４２の処理による判定結果が現行ＭＤのディスクであったか否かを判定し、現行ＭＤのディスクではない、すなわち現在装着されているディスク（例えば、ディスクＡ）は、次世代ＭＤ１のディスク、または次世代ＭＤ２のディスクであると判定された場合、処理は、ステップＳ４４に進む。
【０１７５】
ステップＳ４４において、データコピー制御部２０４は、ディスクＡのＵＩＤを取得する。
【０１７６】
ＵＤＩは、上述したように、ディスク毎に固有の識別コードであり、次世代ＭＤ１のディスクの場合、ＤＤＴ領域にされ、例えば、所定に発生された乱数に基づき生成され、ディスクの初期化の際に記録される。次世代ＭＤ２のディスクの場合、ＵＩＤは、記録可能領域の内周側の、コンシューマ向けの記録再生装置で再生可能であるが記録不可であるような領域に、例えばＤＶＤ(Digital Versatile Disc)で用いられているＢＣＡ(Burst Cutting Area)の技術と同様の技術により、ディスクの製造時に予め記録される。ステップＳ４４では、ステップＳ４２の処理により判定されたディスクの種類に対応して、上述のＵＩＤが取得される。
【０１７７】
ステップＳ４５において、データコピー制御部２０４は、コピーすべきコンテンツを選択する。このとき、例えば、ディスクＡに記録されているコンテンツＡとコンテンツＢのうち、ノンセキュアーコンテンツであるコンテンツＢが、コピーすべきコンテンツとして選択される。また、コピーすべきコンテンツは、ユーザの指令に基づいて選択されるようにしてもよい。ただし、この場合は、ユーザがセキュアーコンテンツであるコンテンツＡを選択するとエラーとなる。
【０１７８】
ステップＳ４６において、データコピー制御部２０４は、コピーすべきコンテンツのコンテンツＩＤを取得する。このとき、コンテンツＩＤとしては、例えば、コンテンツＢを構成するデータファイルのファイル名がコンテンツＩＤとして取得されるようにしてもよいし、ファイル名とそのファイルサイズを関連されてコンテンツＩＤが生成されて取得されるようにしてもよい。
【０１７９】
ステップＳ４７において、データコピー制御部２０４は、ディスクのＵＩＤとコンテンツＩＤを対応付けるテーブルを生成する。
【０１８０】
図４２に、このとき生成されるテーブルの例を示す。同図において、コンテンツＩＤとして、「jpeg001」、「jpeg002」、・・・が記録されており、コンテンツＩＤ「jpeg001」に対応するコンテンツが記録されていたディスクのＵＩＤ「００１」、コンテンツＩＤ「jpeg002」に対応するコンテンツが記録されていたディスクのＵＩＤ「００２」、・・・がそれぞれ対応づけられて記録されている。ステップＳ４７では、図４２に示されるようなテーブルが生成され、例えば、補助メモリ１０５内の所定の領域に記録される。
【０１８１】
ステップＳ４７の処理の後、処理は、ステップＳ４８に進み、データコピー制御部２０４は、コピーすべきコンテンツ（いまの場合、コンテンツＢ）を補助メモリ１０５にコピーする。
【０１８２】
ステップＳ４８の処理の後、ステップＳ４９において、データコピー制御部２０４は、現在装着されているディスク（いまの場合、ディスクＡ）が、記録再生装置５から取り外されたか否かを判定し、ディスクが取り外されたと判定されるまで待機する。
【０１８３】
ステップＳ４９において、ディスクが取り外されたと判定された場合、処理は、図４１のステップＳ５１に進み、データコピー制御部２０４は、記録再生装置５に再びディスクが装着されたか否かを判定し、ディスクが装着されたと判定されるまで待機する。
【０１８４】
ステップＳ５１において、ディスクが装着されたと判定された場合、処理は、ステップＳ５２に進み、ディスク種類判定部２０２は、現在、記録再生装置５に装着されているディスクの種類を判定する。これによりディスクの種類が、現行ＭＤのディスク、次世代ＭＤ１のディスク、または次世代ＭＤ２のディスクのいずれであるかが判定される。ディスクの種類の判定は、ステップＳ４２の処理と同様にして行われる。
【０１８５】
ステップS５３において、ディスク種類判定部２０２は、ステップS５２の処理による判定結果が現行ＭＤのディスクであったか否かを判定し、現行ＭＤのディスクではない、すなわち現在装着されているディスクは、次世代ＭＤ１のディスク、または次世代ＭＤ２のディスクであると判定された場合、処理は、ステップＳ５４に進む。
【０１８６】
ステップＳ５４において、データコピー制御部２０４は、ディスクのＵＩＤを取得する。ディスクのＵＩＤの取得は、ステップＳ４４の処理と同様にして行われる。
【０１８７】
ステップＳ５５において、データコピー制御部２０４は、テーブルを参照して、コピーすべきコンテンツに対応づけられたディスクのＵＩＤを取得する。このとき、ステップＳ４７の処理により生成されたディスクのＵＩＤとコンテンツＩＤを対応付けるテーブルが参照され、コピーすべきコンテンツであるコンテンツＢのコンテンツＩＤに対応づけられたディスクのＵＩＤが取得される。いまの場合、コンテンツＢはディスクＡに記録されていたのでディスクＡのＵＩＤが取得される。
【０１８８】
ステップＳ５６において、データコピー制御部２０４は、ステップＳ５４の処理により取得されたディスクのＵＩＤと、ステップＳ５５の処理により取得されたディスクのＵＩＤが同じか否かを判定する。
【０１８９】
例えば、ユーザが自身で撮影した画像のコンテンツなどについては、各ディスクにどのコンテンツが記録されているかは、ユーザが、自身で管理しかない。しかし、通常、ディスクは同じ形状をしており、ディスクの外見から特定のディスクを判別するのは困難であるため、誤って同じディスクにコンテンツをコピーしてしまう恐れがある。そこで、ステップＳ５６においては、ディスクのＵＩＤが同じか否かを判定する。
【０１９０】
例えば、ユーザが誤って同じディスク（いまの場合、ディスクＡ）を再び装着した（ステップＳ５１）場合、ステップＳ５４の処理では、ディスクＡのＵＩＤが取得され、ステップＳ５５の処理でもディスクＡのＵＩＤが取得されるため、ステップＳ５６では、同じＵＩＤであると判定され、ステップＳ５８に進み、例えば、ディスプレイ１５１にエラーメッセージが出力され、ユーザに対して同じディスクが装着された旨が提示される。
【０１９１】
一方、ステップＳ５６において、ステップＳ５４の処理により取得されたディスクのＵＩＤと、ステップＳ５５の処理にしょり取得されたディスクのＵＩＤが同じではないと判定された場合、処理は、ステップＳ５７に進み、ディスク記録実行部２０５は、補助メモリ１０５に記憶されているコンテンツ（いまの場合コンテンツＢ）のデータをディスクにコピーする。
【０１９２】
例えば、ユーザが再び装着した（ステップＳ５１）ディスクがディスクＢであった場合、ステップＳ５４の処理では、ディスクＢのＵＩＤが取得され、ステップＳ５５の処理では、ディスクＡのＵＩＤが取得されるため、ステップＳ５６では、同じＵＩＤではないと判定され、処理は、ステップＳ５７に進む。
【０１９３】
なお、ステップＳ４３の処理、またはステップＳ５３の処理において、現在装着されているディスク現行ＭＤのディスクであると判定された場合、それぞれ、処理はステップＳ５０または、Ｓ５９に進みエラー処理が実行され、その後処理は終了される。
【０１９４】
このようにして、データ（例えば、デジタルスチルカメラで撮影した画像のデータ）が、ディスクにコピーされる。これにより例えば、写真の焼き増しのように、画像データ（コンテンツ）をその場で複製し、ディスクを介して他の人に渡すことができる。
【０１９５】
また、コンテンツのＩＤとディスクのＵＩＤを参照して、コピーが行われるようにしたので、ディスクの外見から特定のディスクを判別するのは困難であっても、誤って同じディスクにコンテンツをコピーしてしまうことが抑制され、その結果、ユーザにとっては、コンテンツの管理の負担が軽減され、記録再生装置５の利便性が向上する。
【０１９６】
さらに、補助メモリ１０５にコピーされるコンテンツとして、ノンセキュアーコンテンツが選択されるようにしたので、セキュアーコンテンツが簡単に複製されてしまうことが抑制され、その結果、コンテンツの著作権をより適切に保護することができる。
【０１９７】
なお、上述した一連の処理は、ハードウエアにより実行させることもできるし、ソフトウェアにより実行させることもできる。この場合、例えば、システムコントローラ１０９は、図４３に示されるようなコンピュータ３００と同様の構成となる。
【０１９８】
図４３において、CPU（Central Processing Unit）３０１は、ROM（Read Only Memory）
３０２に記憶されているプログラム、または記憶部３０６からRAM（Random Access Memory）３０３にロードされたプログラムに従って各種の処理を実行する。RAM３０３にはまた、CPU３０１が各種の処理を実行する上において必要なデータなども適宜記憶される。
【０１９９】
CPU３０１、ROM３０２、およびRAM３０３は、バス３０４を介して相互に接続されている。このバス３０４にはまた、入出力インタフェース３０５も接続されている。
【０２００】
入出力インタフェース３０５には、ドライブ３１０が接続され（メディアドライブ部１０２と兼用されるようにしてもよい）、リムーバブルメディア３１１（ディスク２１であってもよい）が適宜装着され、それらから読み出されたコンピュータプログラムが、必要に応じて記憶部３０６にインストールされる。
【０２０１】
上述した一連の処理をソフトウェアにより実行させる場合には、そのソフトウェアを構成するプログラムが、インターネットなどのネットワークや、リムーバブルメディア３１１などからなる記録媒体からインストールされる。
【０２０２】
なお、本明細書において上述した一連の処理を実行するステップは、記載された順序に沿って時系列的に行われる処理はもちろん、必ずしも時系列的に処理されなくとも、並列的あるいは個別に実行される処理をも含むものである。
【図面の簡単な説明】
【０２０３】
【図１】本発明に係るコンテンツ管理システムの例を示す図である。
【図２】図１の各機器におけるコンテンツの記憶状態の例を示す図である。
【図３】ディスク間で移動またはコピーされるコンテンツの例を示す図である。
【図４】次世代ＭＤ１のディスクの構成を示す図である。
【図５】図４のディスクのレコーダブル領域の構成を示す図である。
【図６】次世代ＭＤ２のディスクの構成を示す図である。
【図７】図６のディスクのレコーダブル領域の構成を示す図である。
【図８】ＵＩＤのフォーマットの例を示す図である。
【図９】本発明の記録再生装置の構成例を示す図である。
【図１０】オーディオデータの第１の管理方式の例を示す図である。
【図１１】図１０のオーディオデータファイルの構成例を示す図である。
【図１２】図１０のトラックインデックスファイルの構成例を示す図である。
【図１３】図１２のプレイオーダテーブルの構成例を示す図である。
【図１４】図１２のプログラムドプレイオーダテーブルの構成例を示す図である。
【図１５】図１２のグループインフォメーションテーブルの構成例を示す図である。
【図１６】図１５のグループデスクリプタの構成例を示す図である。
【図１７】図１２のトラックインフォメーションテーブルの構成例を示す図である。
【図１８】図１８のトラックデスクリプタの構成例を示す図である。
【図１９】図１２のパートインフォメーションテーブルの構成例を示す図である。
【図２０】図１９のパーツデスクリプタの構成例を示す図である。
【図２１】図１２のネームテーブルの構成例を示す図である。
【図２２】図２１のネームスロットの構成例を示す図である。
【図２３】第１の管理方式におけるオーディオデータの再生の例を示す図である。
【図２４】オーディオデータの第２の管理方式の例を示す図である。
【図２５】図２４のオーディオデータファイルの構成例を示す図である。
【図２６】図２４のトラックインデックスファイルの構成例を示す図である。
【図２７】図２６のプレイオーダテーブルの構成例を示す図である。
【図２８】図２６のプログラムドプレイオーダテーブルの構成例を示す図である。
【図２９】図２６のグループインフォメーションテーブルの構成例を示す図である。
【図３０】図２９のグループデスクリプタの構成例を示す図である。
【図３１】図２６のトラックインフォメーションテーブルの構成例を示す図である。
【図３２】図３１のトラックデスクリプタの構成例を示す図である。
【図３３】図２６のネームテーブルの構成例を示す図である。
【図３４】図３３のネームスロットの構成例を示す図である。
【図３５】第２の管理方式におけるオーディオデータの再生の例を示す図である。
【図３６】図９のシステムコントローラにより実行されるソフトウェアの機能的構成例を示す図である。
【図３７】コンテンツ移動処理を説明するフローチャートである。
【図３８】コンテンツ種類別処理を説明するフローチャートである。
【図３９】ディスクと補助メモリの間でコピーされるコンテンツの例を示す図である。
【図４０】データコピー処理を説明するフローチャートである。
【図４１】データコピー処理を説明するフローチャートである。
【図４２】コンテンツＩＤとディスクのＵＩＤとを対応づけるテーブルの例を示す図である。
【図４３】コンピュータの構成例を示す図である。
【符号の説明】
【０２０４】
１  ＥＭＤサーバ，  ３  ネットワーク，  ４  パーソナルコンピュータ，  ５−１，５−２  記録再生装置，  ２１，２２  ディスク，  １０２  メディアドライブ部，  １０５  補助メモリ，  １０８  ＵＳＢインタフェース，  １０９  システムコントローラ，  １１０  オーディオ処理部，  １１１  メディアインタフェース，  ２０１  操作入力受付部，  ２０２  ディスク種類判定部，  ２０３  コンテンツ移動制御部，  ２０４  データコピー制御部，  ２０５  ディスク記録実行部
【図１】
2006059465.tif 000003
【図２】
2006059465.tif 000004
【図３】
2006059465.tif 000005
【図４】
2006059465.tif 000006
【図５】
2006059465.tif 000007
【図６】
2006059465.tif 000008
【図７】
2006059465.tif 000009
【図８】
2006059465.tif 000010
【図９】
2006059465.tif 000011
【図１０】
2006059465.tif 000012
【図１１】
2006059465.tif 000013
【図１２】
2006059465.tif 000014
【図１３】
2006059465.tif 000015
【図１４】
2006059465.tif 000016
【図１５】
2006059465.tif 000017
【図１６】
2006059465.tif 000018
【図１７】
2006059465.tif 000019
【図１８】
2006059465.tif 000020
【図１９】
2006059465.tif 000021
【図２０】
2006059465.tif 000022
【図２１】
2006059465.tif 000023
【図２２】
2006059465.tif 000024
【図２３】
2006059465.tif 000025
【図２４】
2006059465.tif 000026
【図２５】
2006059465.tif 000027
【図２６】
2006059465.tif 000028
【図２７】
2006059465.tif 000029
【図２８】
2006059465.tif 000030
【図２９】
2006059465.tif 000031
【図３０】
2006059465.tif 000032
【図３１】
2006059465.tif 000033
【図３２】
2006059465.tif 000034
【図３３】
2006059465.tif 000035
【図３４】
2006059465.tif 000036
【図３５】
2006059465.tif 000037
【図３６】
2006059465.tif 000038
【図３７】
2006059465.tif 000039
【図３８】
2006059465.tif 000040
【図３９】
2006059465.tif 000041
【図４０】
2006059465.tif 000042
【図４１】
2006059465.tif 000043
【図４２】
2006059465.tif 000044
【図４３】
2006059465.tif 000045